(57)【要約】本発明は、少なくとも３％の過酸化漂白剤及び染料維持剤を含む液状漂白組成物で布地を処理する方法に関し、ここでこの方法は、前記布地と前記液状組成物を非希釈形態又は希釈形態で接触させる工程、及び前記布地を前記液状組成物と接触させる工程の前及び／又は工程中及び／又は工程後に前記布地を水及び従来の洗濯洗剤、好ましくは少なくとも１つの界面活性剤を含有する従来の洗濯洗剤を含む水槽で洗浄する工程を含む。【特許請求の範囲】
【請求項１】
少なくとも３％の過酸化漂白剤及び染料維持剤を含む液状漂白組成物で布地を処理する方法において、前記方法が、前記布地と前記液状組成物を非希釈形態又は希釈形態で接触させる工程、及び前記布地を前記液状組成物と接触させる工程の前及び／又は工程中及び／又は工程後に前記布地を、水及び従来の洗濯洗剤、好ましくは少なくとも１つの界面活性剤を含有する従来の洗濯洗剤を含む水槽で洗浄する工程を含む方法。
【請求項２】
前記過酸化漂白剤が、過酸化水素；過酸化水素の水溶性供給源；有機又は無機の過酸；ヒドロペルオキシド類；及びジアシルペルオキシド類；ならびにこれらの混合物から成る群から選択される、請求項１に記載の方法。
【請求項３】
前記漂白組成物自体のｐＨが２５℃で測定する場合に９以下である、請求項１又は２に記載の方法。
【請求項４】
前記漂白組成物が、前記組成物全体の３重量％〜３０重量％の前記過酸化漂白剤を含む、請求項１〜３のいずれか一項に記載の方法。
【請求項５】
前記染料維持剤が環状アミンをベースとするポリマー、オリゴマー又はコポリマーである、先行する請求項のいずれか一項に記載の方法。
【請求項６】
前記染料維持剤が、下記一般式の環状アミンをベースとするポリマー、オリゴマー又はコポリマーである、請求項１〜５のいずれか一項に記載の方法：
【化１】
2005502767.tif 000030
−  式中、各Ｔは独立して：Ｈ、Ｃ1〜Ｃ12アルキル、置換アルキル、Ｃ7〜Ｃ12アルキルアリール、
−（ＣＨ2）hＣＯＯＭ、−（ＣＨ2）hＳＯ3Ｍ、ＣＨ2ＣＨ（ＯＨ）ＳＯ3Ｍ、−（ＣＨ2）hＯＳＯ3Ｍ、
【化２】
2005502767.tif 000031
及び−Ｒ2Ｑから成る群から選択され；
−  式中、Ｗは次から成る群から選択される少なくとも１つの環状構成要素を含み：
【化３】
2005502767.tif 000032
及び
【化４】
2005502767.tif 000033
前記少なくとも１つの環状構成要素に加えて、Ｗはまた下記一般構造の脂肪族又は置換脂肪族部分を含んでいてもよく；
【化５】
2005502767.tif 000034
−  各Ｂは独立して、Ｃ1〜Ｃ12アルキレン、Ｃ1〜Ｃ12置換アルキレン、Ｃ3〜Ｃ12アルケニレン、Ｃ8〜Ｃ12ジアルキルアリーレン、Ｃ8〜Ｃ12ジアルキルアリーレンジイル、及び−（Ｒ5Ｏ）nＲ5−であり；
−  各Ｄは独立してＣ2〜Ｃ6アルキレンであり；
−  各Ｑは独立して、ヒドロキシ、Ｃ1〜Ｃ18アルコキシ、Ｃ2〜Ｃ18ヒドロキシアルコキシ、アミノ、Ｃ1〜Ｃ18アルキルアミノ、ジアルキルアミノ、トリアルキルアミノ基、複素環式モノアミノ基及びジアミン基から成る群から選択され；
−  各Ｒ1は独立して、Ｈ、Ｃ1〜Ｃ8アルキル及びＣ1〜Ｃ8ヒドロキシアルキルから成る群から選択される；
−  各Ｒ2は独立して：Ｃ1〜Ｃ12アルキレン、Ｃ1〜Ｃ12アルケニレン、−ＣＨ2−ＣＨ（ＯＲ1）−ＣＨ2、Ｃ8〜Ｃ12アルカリーレン、Ｃ4〜Ｃ12ジヒドロキシアルキレン、ポリ（Ｃ2〜Ｃ4アルキレンオキシ）アルキレン、Ｈ2ＣＨ（ＯＨ）ＣＨ2ＯＲ2ＯＣＨ2ＣＨ（ＯＨ）ＣＨ2−、及びＣ3〜Ｃ12ヒドロカルビル部分から成る群から選択され；
ただし、Ｒ2がＣ3〜Ｃ12ヒドロカルビル部分である場合、前記ヒドロカルビル部分は下記一般構造の約２〜約４の分枝部分を含むことができることを条件とする。
【化６】
2005502767.tif 000035
−  各Ｒ3は独立して：Ｈ、Ｒ2、Ｏ、Ｃ1〜Ｃ20ヒドロキシアルキル、Ｃ1〜Ｃ20アルキル、置換アルキル、Ｃ6〜Ｃ11アリール、置換アリール、Ｃ7〜Ｃ11アルキルアリール、Ｃ1〜Ｃ20アミノアルキル、
−（ＣＨ2）hＣＯＯＭ、−（ＣＨ2）hＳＯ3Ｍ、ＣＨ2ＣＨ（ＯＨ）ＳＯ3Ｍ、−（ＣＨ2）hＯＳＯ3Ｍ、
【化７】
2005502767.tif 000036
及び
【化８】
2005502767.tif 000037
から成る群から選択され；
−  ここで、前記Ｒ3基の少なくとも１０モル％はＯであるが、ただしＯは第三級Ｎ上にだけ存在することを条件とし；
−  各Ｒ4は独立して：Ｈ、Ｃ1〜Ｃ22アルキル、Ｃ1〜Ｃ22ヒドロキシアルキル、アリール及びＣ7〜Ｃ22アルキルアリールから成る群から選択され；
−  各Ｒ5は独立して：Ｃ2〜Ｃ8アルキレン、Ｃ2〜Ｃ8アルキル置換アルキレンから成る群から選択され；並びに
Ａは適合性の一価又はニ価又は多価陰イオンであり；
Ｍは適合性の陽イオンであり；
並びに、式中ｂは前記電荷を釣り合わせるのに必要な数であり；各ｘは独立して３〜１０００であり；各ｃは独立して０又は１であり；各ｈは独立して１〜８であり；各ｑは独立して０〜６であり；各ｎは独立して１〜２０であり；各ｒは独立して０〜２０であり；そして各ｔは独立して０〜１である。
【請求項７】
各Ｒ1がＨであり、少なくとも１つのＷが次から成る群から選択される、請求項６に記載の方法：
【化９】
2005502767.tif 000038
及び
【化１０】
2005502767.tif 000039
【請求項８】
Ｒ1がＨであり、少なくとも１つのＷが次から成る群から選択される、請求項６又は７のいずれか一項に記載の方法。
【化１１】
2005502767.tif 000040
及び
【化１２】
2005502767.tif 000041
【請求項９】
各Ｒ1がＨであり、少なくとも１つのＷが次から成る群から選択される、請求項６〜８のいずれか一項に記載の方法：
【化１３】
2005502767.tif 000042
及び
【化１４】
2005502767.tif 000043
【請求項１０】
前記環状アミンをベースとするポリマー、オリゴマー又はコポリマーが、ピペラジン、ピペリジン、エピクロロヒドリン、エピクロロヒドリンベンジルクワット、エピクロロヒドリンメチルクワット、モルホリン及びこれらの混合物から成る群から選択される酸化付加体である、請求項５〜９のいずれか一項に記載の方法。
【請求項１１】
前記漂白組成物が、前記組成物全体の０．００１重量％〜３０重量％の前記染料維持剤を含む、請求項１〜１０のいずれか一項に記載の方法。
【請求項１２】
容器；一連の説明書；及び少なくとも３％の過酸化漂白剤及び染料維持剤を含む液状漂白組成物を含む製品において、前記一連の説明書が、布地を非希釈形態又は希釈形態の前記液状漂白組成物と接触させる工程、及び前記布地を前記液状組成物と接触させる工程の前及び／又は工程中及び／又は工程後に前記布地を、水及び従来の洗濯洗剤、好ましくは少なくとも１つの界面活性剤を含有する従来の洗濯洗剤を含む水槽で洗浄する工程を含む方法において布地を処理する説明書を含む製品。
【請求項１３】
少なくとも３％の過酸化漂白剤及び染料維持剤を含む前記液状漂白組成物が、請求項１〜１１のいずれか一項の方法に使用される液状漂白組成物である、請求項１２に記載の製品。
【発明の詳細な説明】
【技術分野】
【０００１】
本発明は、液状漂白組成物、特に染料維持剤を含む液状漂白組成物で布地を処理する方法に関する。
【背景技術】
【０００２】
布地を処理するための漂白剤含有組成物は、当該技術分野において周知である。
過酸化漂白剤含有組成物は、当該技術分野において、特に洗濯用途において、洗濯添加剤及び／又は洗濯前処理剤として広く記述されている。
【０００３】
さらに言えば、乾いた（表面で固くなった）染み／汚れ及び「手に負えない（problem）」染み、例えば油脂、コーヒー、茶、草、泥／粘土含有汚れ、あるいは特に除去するのが困難なものの除去を促進させるために、洗濯用途にこのような過酸化漂白剤含有組成物を使用することが知られている。さらに過酸化漂白剤は、例えば次亜ハロゲン酸漂白剤のような他の漂白剤に比べて、布地／カーペットに対して、特に色のついた布地／カーペットに対してより安全であると考えられている。
【０００４】
それでもやはり、漂白組成物は処理した布地に損傷を与える傾向があるという欠点がある。さらに言えば、この組成物は、染色された布地を処理すると色損傷（「退色」）を生じる可能性があり、特に硫酸化染料で染められた濃い色のついた布地は退色し易い。
【０００５】
前記漂白組成物に「色落ち防止効果」を与える成分を含む漂白組成物を配合することは当該技術分野において既知である。過酸化漂白剤は保存時又は使用中又はそれ以降における過酸化漂白剤の分解中に強い漂白剤種を形成する傾向にあることから、退色防止効果（「退色防止成分」）を与えるこのような成分が漂白組成物に含まれる。この強い漂白剤種が色のついた布地に損傷を与える原因であることは周知である。さらに言えば、退色防止成分は強い漂白剤種の形成を妨げ、又は少なくとも減らし、それによって強い漂白剤種の布地染料への攻撃を妨げる。例えばＰＣＴ国際公開特許ＷＯ９６／２６９９９には、キレート剤を含む洗濯前処理組成物が記載されており、ここで布地保護及び／又は退色防止効果が前記洗濯前処理組成物に与えられている。
【０００６】
退色防止成分を含む漂白組成物は良好な色安全性能を示すことが述べられている。しかし、液状漂白組成物で処理する場合に染色された布地の退色の防止には、今なおさらなる改善の余地がある。実際、消費者は「積極的な色保護」を与える漂白剤前処理／添加剤組成物を得ることを所望していることが消費者調査によってわかった。本明細書において「積極的な色保護」とは、洗浄溶液と布地染料との相互作用によって生じる退色に対して染色された布地を積極的に保護することを意味する。さらに言えば、漂白組成物の色保護を、退色防止成分から生じる退色防止効果とは独立、又は退色防止効果と組み合わせて提供することができる。
【発明の開示】
【発明が解決しようとする課題】
【０００７】
それ故に本発明の目的は、過酸化漂白剤を含む液状漂白組成物を提供することにあり、ここでこの組成物はこの液状漂白組成物で処理された布地に積極的な色保護効果をもたらす。
【０００８】
今般、この目的は、本明細書で記載されるような布地を処理する方法によって達成できることがわかった。
有利な点では、本明細書で記載されるような漂白組成物は優れた漂白性能も与える。
より詳細には本発明の組成物は、洗濯添加剤及び／又は洗濯前処理剤として使用される場合に優れた漂白性能を与える。
【０００９】
本発明による漂白組成物のさらなる利点は、それらが種々の条件でも、すなわち硬質又は軟質水中、並びに非希釈又は希釈されて使用される場合にも達成できることである。
【課題を解決するための手段】
【００１０】
本発明は、少なくとも３％の過酸化漂白剤及び染料維持剤を含む液状漂白組成物で布地を処理する方法を包含し、ここでこの方法は、前記布地と前記液状組成物を非希釈形態又は希釈形態で接触させる工程、及び前記布地を前記液状組成物と接触させる工程の前及び／又は工程中及び／又は工程後に前記布地を、水及び従来の洗濯洗剤、好ましくは少なくとも１つの界面活性剤を含有する従来の洗濯洗剤を含む水槽で洗浄する工程を含む。
【発明を実施するための最良の形態】
【００１１】
（漂白組成物）
本発明による漂白組成物は、液状組成物として配合される。「液状」とは、慣用的な液体、ゲル及びペーストを含むことを意味する。
【００１２】
本明細書の漂白組成物は、必須ではないが好ましくは水性組成物として配合される。液状漂白組成物は使用するのが簡便であるため本明細書では好ましい。本発明の好ましい液状漂白組成物は水性であり、そのためこの組成物は、好ましくは水を含んでいてもよく、より好ましくは組成物全体の６０重量％〜９８重量％、さらにより好ましくは８０重量％〜９７重量％、最も好ましくは８５重量％〜９７重量％の量で水を含んでいてもよい。
【００１３】
本明細書の液状漂白組成物のｐＨは、２５℃で測定するとき、好ましくは少なくとも０．１、０．５、１、１．５、２、２．５、３、３．５、４、４．５又は５であり、これらのうち数値の大きいものほど好ましい。これとは独立して、本明細書の液状漂白組成物のｐＨは、２５℃で測定するとき、好ましくは９、８．５、８、７．５、７、６．５、６又は５．５以下であり、これらのうち数値の低いものほど好ましい。
【００１４】
好ましい実施形態において、本発明による液状組成物は中性〜酸性ｐＨの範囲で配合される。過酸化漂白剤の最適な化学安定性及び漂白及び／又は洗浄性能、並びに最適な布地及び／又は退色防止性が得られるのは、この中性〜酸性ｐＨの範囲である。
従って、本明細書の組成物は適宜ｐＨを調整するための酸又は塩基をさらに含んでもよい。
【００１５】
本明細書で好ましい酸は、有機酸又は無機酸又はこれらの混合物である。好ましい有機酸は、酢酸、クエン酸又はこれらの混合物である。好ましい無機酸は、硫酸、リン酸又はそれらの混合物である。本明細書で用いるのに特に好ましい酸は無機酸であり、最も好ましいのは硫酸である。
【００１６】
このような酸が存在する場合、その典型的な濃度は、組成物全体の０．０１重量％〜３．０重量％、好ましくは０．０５重量％〜２．０重量％、より好ましくは０．１重量％〜１．０重量％である。
【００１７】
本明細書で用いる塩基は、有機塩基又は無機塩基であってもよい。本明細書で用いるのに好適な塩基は、水酸化ナトリウム、水酸化カリウム及び／又は水酸化リチウムのような苛性アルカリ、及び／又は酸化ナトリウム及び／又は酸化カリウム又はこれらの混合物のようなアルカリ金属酸化物である。好ましい塩基は苛性アルカリであり、さらに好ましくは水酸化ナトリウム及び／又は水酸化カリウムである。
【００１８】
その他の好適な塩基としては、アンモニア、炭酸アンモニウム及び炭酸水素アンモニウムが挙げられる。
このような塩基が存在する場合、その典型的な濃度は、組成物全体の０．０１重量％〜１．０重量％、好ましくは０．０５重量％〜０．８重量％、より好ましくは０．１重量％〜０．５重量％である。
【００１９】
（過酸化漂白剤）
本発明による漂白組成物は、第１の必須要素として過酸化漂白剤を含む。
本明細書で用いるのに好適な過酸化漂白剤は、過酸化水素；過酸化水素の水溶性供給源；有機又は無機の過酸；ヒドロペルオキシド類；ジアシルペルオキシド類；及びこれらの混合物から成る群から選択される。
【００２０】
本明細書で使用するとき、過酸化水素供給源とは、水と接触するとペルヒドロキシルイオンを生成するあらゆる化合物を指す。本明細書で用いるのに好適な過酸化水素の水溶性供給源としては、ペルカーボネート類、ペルボレート類及びペルシリケート類及びこれらの混合物が挙げられる。
【００２１】
本明細書で用いるのに好適なジアシルペルオキシド類としては、脂肪族、芳香族、及び脂肪族−芳香族ジアシルペルオキシド類、及びこれらの混合物が挙げられる。
本明細書で用いるのに好適な脂肪族ジアシルペルオキシド類は、ジラウロイルペルオキシド、ジデカノイルペルオキシド、ジミリストイルペルオキシド、又はこれらの混合物である。本明細書で用いるのに好適な芳香族ジアシルペルオキシドは、例えばベンゾイルペルオキシドである。本明細書で用いるのに好適な脂肪族−芳香族ジアシルペルオキシドは、例えばラウロイルベンゾイルペルオキシドである。
【００２２】
本明細書で用いるのに好適な有機又は無機の過酸としては、モノ過硫酸のような過流酸塩類；ジペルオキシドデカン二酸（ＤＰＤＡ）のような過オキソ酸類；マグネシウムペルフタル酸；ペルラウリン酸；フタロイルアミドペルオキシカプロン酸（ＰＡＰ）；過安息香酸及びアルキル過安息香酸類；及びこれらの混合物が挙げられる。
【００２３】
本明細書で用いるのに好適なヒドロペルオキシド類は、第三級ブチルヒドロペルオキシド、クミルヒドロペルオキシド、２，４，４−トリメチルペンチル−２−ヒドロペルオキシド、ジ−イソプロピルベンゼン−モノヒドロペルオキシド、第三級アミルヒドロペルオキシド、及び２，５−ジメチル−ヘキサン−２，５−ジヒドロペルオキシド、並びにこれらの混合物である。このようなヒドロペルオキシド類は、布地及び色に対して特に安全であるという利点を有すると共に、いかなる洗濯用途において使用される場合にも優れた漂白性能を送達する。さらにこのようなヒドロペルオキシド類は、カーペット及びカーペット染料に対して特に安全であるという利点を有する共に、カーペット処理用途に使用される場合優れた漂白性能を送達する。
【００２４】
本明細書で好ましい過酸化漂白剤は、過酸化水素；過酸化水素の水溶性供給源；有機又は無機の過酸；ヒドロペルオキシド類；及びジアシルペルオキシド類；並びにこれらの混合物から成る群から選択される。本明細書でより好ましい過酸化漂白剤は、過酸化水素、過酸化水素の水溶性供給源、及びジアシルペルオキシド類、並びにこれらの混合物から成る群から選択される。本明細書でさらにより好ましい過酸化漂白剤は、過酸化水素、過酸化水素の水溶性供給源、脂肪族ジアシルペルオキシド類、芳香族ジアシルペルオキシド類、及び脂肪族−芳香族ジアシルペルオキシド類、並びにこれらの混合物から成る群から選択される。本明細書で最も好ましい過酸化漂白剤は、過酸化水素、過酸化水素の水溶性供給源又はこれらの混合物である。
【００２５】
本発明による液状組成物は、組成物全体の少なくとも３重量％の前記過酸化漂白剤を含む。好ましくは、本明細書の漂白組成物は、組成物全体の３重量％〜３０重量％、好ましくは４重量％〜２０重量％、より好ましくは４．５重量％〜１５重量％、さらにより好ましくは５重量％〜１０重量％、最も好ましくは５．５重量％〜１０重量％の過酸化漂白剤を含んでもよい。
【００２６】
本発明による漂白組成物における過酸化漂白剤の存在は、本発明の組成物の漂白可能な染み（例えば、コーヒー、飲料、食べ物）のようなその場の染み（on spot stains）を含む種々の汚れに対する優れた漂白及び／又は洗浄性能に寄与する。さらに、過酸化漂白剤は布地に対して、特に色のついた布地に対して安全であると考えられているので、本明細書では、酸化剤として、例えば次亜ハロゲン酸漂白剤のような他の酸化剤よりも過酸化漂白剤が選択される。
「漂白可能な染み」とは、本明細書では、例えば、コーヒー又は茶のようなどのカーペット上にも見られるような漂白に敏感な成分を含有するあらゆる汚れ又は染みを意味する。
【００２７】
（染料維持剤）
本発明による組成物は、第２の必須成分として染料維持剤を含む。
当業者に既知のいずれの染料維持剤も本明細書における使用に適している。
好適な染料維持剤は、ＰＣＴ国際公開特許ＷＯ９９／１４３０１において環状アミンをベースとするポリマー、オリゴマー又はコポリマーとして、及びＷＯ００／５６８４９において染料維持ポリマー又はオリゴマーとして記載され、双方の文献は本明細書に参考として組み込まれる。
【００２８】
典型的には、本発明による漂白組成物は、組成物全体の０．００１重量％〜３０重量％、好ましくは０．０１重量％〜１５重量％、より好ましくは０．０５重量％〜５重量％の染料維持剤を含んでいてもよい。
【００２９】
好ましい実施形態において、染料維持剤は環状アミンをベースとするポリマー、オリゴマー又はコポリマーである。
【００３０】
好ましくは、前記環状アミンをベースとするポリマー、オリゴマー又はコポリマーは、次の一般式を有する：
【００３１】
【化１】
2005502767.tif 000002
−  式中、各Ｔは独立して：Ｈ、Ｃ1〜Ｃ12アルキル、置換アルキル、Ｃ7〜Ｃ12アルキルアリール、
−（ＣＨ2）hＣＯＯＭ、−（ＣＨ2）hＳＯ3Ｍ、ＣＨ2ＣＨ（ＯＨ）ＳＯ3Ｍ、−（ＣＨ2）hＯＳＯ3Ｍ、
【００３２】
【化２】
2005502767.tif 000003
及び−Ｒ2Ｑから成る群から選択される；
−  式中、Ｗは以下から成る群から選択される少なくとも１つの環状構成要素を含み：
【００３３】
【化３】
2005502767.tif 000004
及び
【００３４】
【化４】
2005502767.tif 000005
少なくとも１つの環状構成要素に加えて、Ｗは次の一般構造の脂肪族又は置換脂肪族部分も含んでもよい；
【００３５】
【化５】
2005502767.tif 000006
−  各Ｂは独立して、Ｃ1〜Ｃ12アルキレン、Ｃ1〜Ｃ12置換アルキレン、Ｃ3〜Ｃ12アルケニレン、Ｃ8〜Ｃ12ジアルキルアリーレン、Ｃ8〜Ｃ12ジアルキルアリーレンジイル、及び−（Ｒ5０）nＲ5−である；
−  各Ｄは独立して、Ｃ2〜Ｃ6アルキレンである；
−  各Ｑは独立して、ヒドロキシ、Ｃ1〜Ｃ18アルコキシ、Ｃ2〜Ｃ18ヒドロキシアルコキシ、アミノ、Ｃ1〜Ｃ18アルキルアミノ、ジアルキルアミノ、トリアルキルアミノ基、複素環式モノアミノ基及びジアミン基から成る群から選択される；
−  各Ｒ1は独立して、Ｈ、Ｃ1〜Ｃ8アルキル及びＣ1〜Ｃ8ヒドロキシアルキルから成る群から選択される；
−  各Ｒ2は独立して、Ｃ1〜Ｃ12アルキレン、Ｃ1〜Ｃ12アルケニレン、−ＣＨ2−ＣＨ（ＯＲ1）−ＣＨ）2、Ｃ8〜Ｃ12アルカリーレン、Ｃ4〜Ｃ12ジヒドロキシアルキレン、ポリ（Ｃ2〜Ｃ4アルキレンオキシ）アルキレン、Ｈ2ＣＨ（ＯＨ）ＣＨ2ＯＲ2ＯＣＨ2ＣＨ（ＯＨ）ＣＨ2−、及びＣ3〜Ｃ12ヒドロカルビル部分から成る群から選択される；ただし、Ｒ2がＣ3〜Ｃ12ヒドロカルビル部分であるとき、このヒドロカルビル部分は、次の一般構造の２〜４の分岐部分を含むことができることを条件とする：
【００３６】
【化６】
2005502767.tif 000007
−  各Ｒ3は独立して、Ｈ、Ｒ2、Ｏ、Ｃ1〜Ｃ20ヒドロキシアルキル、Ｃ1〜Ｃ20アルキル、置換アルキル、Ｃ6〜Ｃ11アリール、置換アリール、Ｃ7〜Ｃ11アルキルアリール、Ｃ1〜Ｃ20アミノアルキル、
−（ＣＨ2）hＣＯＯＭ、−（ＣＨ2）hＳＯ3Ｍ、ＣＨ2ＣＨ（ＯＨ）ＳＯ3Ｍ、−（ＣＨ2）hＯＳＯ3Ｍ、
【００３７】
【化７】
2005502767.tif 000008
及び
【００３８】
【化８】
2005502767.tif 000009
から成る群から選択される；
−  ここで、Ｒ3基の少なくとも約１０モル％、好ましくは少なくとも約２０モル％、より好ましくは少なくとも約３０モル％、最も好ましくは少なくとも約５０モル％がＯであるが、ただしＯは第三級Ｎ上にのみ存在することを条件とする；
−  各Ｒ4は独立して、Ｈ、Ｃ1〜Ｃ22アルキル、Ｃ1〜Ｃ22ヒドロキシアルキル、アリール及びＣ7〜Ｃ22アルキルアリールから成る群から選択される；
−  各Ｒ5は独立して、Ｃ2〜Ｃ8アルキレン、Ｃ2〜Ｃ8アルキル置換アルキレンから成る群から選択される；及び
Ａは、適合性のある一価又は二価又は多価の陰イオンである；
Ｍは、適合性のある陽イオンである；
及び、式中、ｂは前記電荷を釣り合わせるのに必要な数であり；各ｘは独立して３〜１０００であり；各ｃは独立して０又は１であり；各ｈは独立して１〜８であり；各ｑは独立して０〜６であり；各ｎは独立して１〜２０であり；各ｒは独立して０〜２０であり；及び各ｔは独立して０〜１である。
【００３９】
より好ましくは、前記環状アミンをベースとするポリマー、オリゴマー又はコポリマーは、上記式を有し、式中、各Ｒ1はＨであり、少なくとも１つのＷは次から成る群から選択される：
【００４０】
【化９】
2005502767.tif 000010
及び
【００４１】
【化１０】
2005502767.tif 000011
さらにより好ましくは、前記環状アミンをベースとするポリマー、オリゴマー又はコポリマーは、上記の式を有し、式中、Ｒ1はＨであり、少なくとも１つのＷは次から成る群から選択される：
【００４２】
【化１１】
2005502767.tif 000012
及び
【００４３】
【化１２】
2005502767.tif 000013
さらにより好ましくは、前記環状アミンをベースとするポリマー、オリゴマー又はコポリマーは、上記の式を有し、式中、各Ｒ1はＨであり、少なくとも１つのＷは次から成る群から選択される：
【００４４】
【化１３】
2005502767.tif 000014
及び
【００４５】
【化１４】
2005502767.tif 000015
本発明による好ましい実施形態において、前記環状アミンをベースとするポリマー、オリゴマー又はコポリマーは、ピペラジン、ピペリジン、エピクロロヒドリン、エピクロロヒドリンベンジルクワット、エピクロロヒドリンメチルクワット、モルホリン及びこれらの混合物から成る群から選択される酸化付加体である。
【００４６】
本発明による別の好ましい実施形態において、本明細書の染料維持剤は、イミダゾール：エピクロロヒドリンコポリマー（イミダゾール及びエピクロロヒドリンの１：４：１の比率の縮合オリゴマー）である。
好適なイミダゾール：エピクロロヒドリンコポリマー染料維持剤は、ＢＡＳＦからソカラン（Sokalan）ＰＧ−ＩＭＥ（登録商標）の商品名で市販されている。
【００４７】
過酸化漂白剤含有漂白組成物は、染色された布地を前記組成物で処理すると色損傷（「退色」）を生じる傾向があるという欠点があり、特に硫酸化染料で染色された濃い色のついた布地は退色し易いことを見出した。さらに言えば、このことは過酸化漂白剤の染色された布地を退色する性質にあり、この性質は過酸化漂白剤の漂白活性の好ましくない副次的な作用がある。
【００４８】
今般、漂白組成物中の染料維持剤が積極的な色保護効果を与えることを見出した。
本明細書において「積極的な色保護」とは、洗浄溶液と布地染料との相互作用によって生じる退色に対して染色された布地を積極的に保護することを意味する（「色保護効果」）。さらに言えば漂白組成物の色保護は、退色防止成分から生じる退色防止効果とは独立して、又は退色防止効果と組み合わせて提供されてもよい。
【００４９】
さらに言えば、染料維持剤は特に布地に沈積する染料分子に、好ましくは染料分子のサルフェート基に付着することによって、この染料分子の溶解性を低下させることがわかった。これにより、布地からの可溶化から前記染料を保護し、並びに漂白組成物、及び／又は漂白組成物及び染料に加えて使用される従来の洗濯洗剤により形成される洗浄溶液の相互作用によって生じる前記布地の退色から、前記染料を保護する。
【００５０】
（色保護に関する試験方法）
色保護は視覚等級付けによって評価できる。次の試験プロトコルを適用して、所与の漂白組成物の、本明細書で与えられるような色保護効果を評価してもよい：１００ｍｌの前記所与の漂白組成物を、１３５ｇの従来の洗濯洗剤（例えば、ダッシュエッセンシャル（DASH Essential）（登録商標）又はダッシュリキッド（DASH liquid）（登録商標））と組み合わせて標準洗濯機に添加する。色のついた布地（例えば、ダイレクト・バイオレットＣ１１１で染色された布地）を洗濯機の標準手順に従って前記洗濯機中で処理する。この処理を５回又は１０回繰り返すことができる。
【００５１】
パネルスコア化単位（ＰＳＵ）を使用し、専門家のパネリストグループによって視覚的等級付けが行われてもよい。所与の漂白組成物の布地色保護効果を評価するために、処理布地対未処理布地の退色について顕著な相違がないことを意味する０から、処理布地対未処理布地の退色について明らかに顕著な相違があることを意味する４までの範囲のＰＳＵ単位を適用できる。
【００５２】
（布地の処理方法）
本発明では、布地を液状漂白組成物と接触させることによって本発明の漂白組成物を使用する。さらに言えば、漂白組成物を液状形態で使用する。本明細書において「液状形態」とは、本質的に非希釈形態又は希釈形態の本発明による液状組成物を意味する。
【００５３】
本発明による組成物を、通常は洗濯用途において希釈形態で使用する。本明細書において「希釈形態」とは、本発明による布地漂白用組成物を、ユーザが好ましくは水で希釈してもよいことを意味する。このような希釈は、洗濯機などの他の手段と同様に、浸漬適用においても起こる可能性がある。前記組成物は、１５００：１（溶媒：組成物）まで、好ましくは５：１〜１０００：１、より好ましくは１０：１〜７００：１（溶媒：組成物）の希釈濃度で使用してもよい。
【００５４】
「非希釈形態」とは、前記液状漂白組成物がいかなる希釈も行われることなく、処理する布地に直接適用されること、すなわち本明細書の液状組成物が本明細書に記載されるように布地に適用されることであると理解されるべきである。
【００５５】
本明細書において処理する布地としては、衣服、カーテン、服地、ベッドリネン、バスリネン、テーブルクロス、寝袋及び／又はテントが挙げられるが、これらに限定されない。
【００５６】
本明細書において「布地を処理する」とは、布地を洗浄及び／又は漂白／消毒することを意味する。
布地を処理（例えば、洗浄及び／又は漂白）する方法では、本発明による漂白組成物を処理する布地と接触させる。
【００５７】
これは、布地を洗浄する前に本明細書で定義されるような液状漂白組成物を前記布地に希釈することなく適用する、いわゆる「前処理モード」、又は布地を洗浄する前に本明細書で定義されるような液状漂白組成物を水槽中にまず希釈し、布地をこの槽に含浸及び浸漬する「浸漬モード」、又は本明細書で定義されるような液状漂白組成物を、好ましくは洗濯機において従来の洗濯洗剤の溶解又は分散によって形成される洗浄液に添加する「洗浄中モード」のいずれかで行うことができる。
【００５８】
より詳細には、本発明による布地を漂白する前処理プロセスは、まず布地を本発明による漂白組成物と接触させる工程、次いでこの布地が十分漂白される時間にその組成物と接触させておく工程、次いでこの布地を洗浄する前に水ですすぐ工程を含むのが好ましい。
【００５９】
漂白組成物は、希釈形態又は非希釈形態で使用してもよい。希釈して使用する場合、漂白組成物は布地と、通常は１〜６０分間、好ましくは５〜３０分間、接触したままにすべきである。一方、漂白組成物を非希釈形態で使用する場合、より短い時間、通常は５秒間〜３０分間、好ましくは１分間〜１０分間、布地と接触させておくべきである。
【００６０】
本明細書の方法では、布地を洗浄する方法、すなわち従来の洗濯洗剤、好ましくは少なくとも１つの界面活性剤を含むもので処理する方法であり、従来の洗濯洗剤による布地の洗浄は、前記布地を前記漂白組成物と接触させる工程の前、及び／又は前記布地を前記漂白組成物と接触させる工程中、及び／又は前記布地を前記漂白組成物と接触させる工程の後に行ってもよい。
【００６１】
好ましい実施形態では、従来の洗濯洗剤による布地の洗浄は、前記布地を前記漂白組成物と接触させる工程の前、及び／又は前記布地を前記漂白組成物と接触させる工程中に行われる。より好ましくは、従来の洗濯洗剤による前記布地の洗浄は、前記布地を前記漂白組成物と接触させる工程の前に行われる。さらに言えば、洗剤組成物で布地を洗浄する前に本発明による組成物（希釈及び／又は非希釈漂白プロセス）で布地を漂白することにより、布地を最初に洗浄した後に漂白する場合よりも少ないエネルギー及び洗剤で、優れた白色度が得られ、染みを除去できることがわかった。
【００６２】
本発明による好ましい実施形態において、本明細書に記載の従来の洗濯洗剤は、本発明による方法で形成される水槽中で溶解又は分散され、好ましくは実質的に溶解又は分散される。「実質的に溶解又は分散される」とは、本明細書においては、前記従来の洗濯洗剤の少なくとも５０％、好ましくは少なくとも８０％、より好ましくは少なくとも９０％、さらに好ましくは少なくとも９５％、さらにより好ましくは少なくとも９８％、最も好ましくは少なくとも９９％が、本発明による方法によって形成される水槽中に溶解又は分散されることを意味する。
【００６３】
好ましい実施形態では、本発明による洗浄工程は洗濯機で行われる。従来の洗剤組成物は洗濯機の分配装置に洗剤を投入し、又は洗濯機のドラムに洗剤を直接投入することによって洗濯機に送達されてもよい。
【００６４】
「従来の洗濯洗剤」とは、本明細書においては、市場で現在入手可能な洗濯洗剤組成物を意味する。好ましくは、前記従来の洗濯洗剤は、少なくとも１つの界面活性剤（surface active agent）（以下、本明細書では「界面活性剤（surfactant）」として記載される）を含む。前記洗濯洗剤組成物は、粉末、液体、又は錠剤として配合されてよい。好適な洗濯洗剤組成物は、例えば、ダッシュフュテュール（DASH futur）（登録商標）、ダッシュエッセンシャル（DASH essential）（登録商標）、ダッシュリキッド（DASH liquid）（登録商標）、アリエール錠剤（ARIEL tablets）（登録商標）、及びアリエール（ARIEL）（登録商標）又はタイド（TIDE）（登録商標）の商品名で販売されているその他の製品である。
【００６５】
本明細書の方法のさらなる利点は洗浄性能である。実際に、液状漂白組成物と従来の洗濯洗剤の双方を組み合わせる場合の洗浄性能の効果は、どちらかの組成物が単独で提供される性能よりも高い。
【００６６】
（製品）
好ましい実施形態では、本発明は、容器；一連の説明書；及び少なくとも３％の過酸化漂白剤及び染料維持剤を含む本発明の液状漂白組成物を含む製品を包含し、ここで前記一連の説明書は、布地を非希釈形態又は希釈形態の前記液状漂白組成物と接触させる工程、及び前記布地を前記液状組成物と接触させる工程の前及び／又は工程中及び／又は工程後に前記布地を、水及び従来の洗濯洗剤、好ましくは少なくとも１つの界面活性剤を含有する従来の洗濯洗剤を含有する水槽で洗浄する工程を含む方法により布地を処理する説明書を含む。
好ましくは、前記一連の説明書は、本明細書で上述されたような方法で布地を処理するという説明書を含む。
【００６７】
本明細書の容器は、本明細書の液状漂白組成物を含有するのが好ましい。本明細書の液状漂白組成物は、当業者に既知の種々の適した洗剤容器中に包装されていてもよい。
本明細書で好適な容器は、プラスチックボトル、ガラス瓶などから成る群から選択される。好適なプラスチクボトルは、合成有機ポリマープラスチック材料で製造される。
本発明による好ましい実施形態では、本明細書の容器はプラスチックボトルである。
【００６８】
本明細書の一連の説明書は、本明細書の容器に直接印刷されていてもよく、及び／又は本明細書の容器用の追加包装（カートン、又はプラスチックボックスなど）が存在するならば、その上に印刷されてもよい。さらに、この使用説明書は前記容器に関連していてもよく、及び／又は容器及び／又は任意の追加包装に添付される印刷形態での説明書を含むラベルによって前記任意の追加包装に関連していてもよい。このラベルは、前記容器及び／又は存在するならば前記追加の包装に、接着剤で接着されてもよく、又は当業者に既知のあらゆる他の手段によって添付又は貼付されてもよい。あるいは、前記使用説明書は製品とは別個の様式で呈示されてもよく、その様式にはパンフレット、印刷広告、電子広告、及び／又は言葉による伝達が挙げられるが、これらに限定されない。
【００６９】
（任意成分）
本発明の漂白組成物はさらに、界面活性剤、増粘剤、ビルダー、キレート剤、安定剤、漂白剤活性化剤、汚れ懸濁剤、汚れ懸濁ポリアミンポリマー、ポリマー汚れ放出剤、泡抑制システム又は抑制剤、触媒、染料移行剤、光沢剤、香料、ヒドロトロープ、溶媒、顔料及び染料のような種々の任意成分を含んでいてもよい。
【００７０】
（界面活性剤）
本発明による組成物は、極めて好ましいが任意の成分として界面活性剤を含んでもよい。
典型的には、本明細書による組成物は、組成物全体の０．０１重量％〜３０重量％、好ましくは０．１重量％〜２５重量％、より好ましくは０．５重量％〜２０重量％の界面活性剤を含んでもよい。
【００７１】
好適な非イオン性界面活性剤としては、アルコキシル化非イオン性界面活性剤が挙げられる。本明細書で好ましいアルコキシル化非イオン性界面活性剤は、式ＲＯ−（Ｃ2Ｈ4Ｏ）nＨに基づくエトキシル化非イオン性界面活性剤であり、式中、ＲはＣ6〜Ｃ22アルキル鎖、又はＣ6〜Ｃ28アルキルベンゼン鎖であり、ｎは０〜２０、好ましくは１〜１５、より好ましくは２〜１５、最も好ましくは２〜１２である。本明細書で用いるのに好ましいＲ鎖はＣ8〜Ｃ22のアルキル鎖である。またプロポキシル化非イオン性界面活性剤及びエトキシ／プロポキシ化界面活性剤を、本明細書において上記で定義されるエトキシル化非イオン性界面活性剤の代わりに、又はこの界面活性剤と共に本明細書で使用してもよい。
【００７２】
好ましいエトキシル化非イオン性界面活性剤は、上記の式による実質的に線状のエトキシル化非イオン性界面活性剤である。本明細書において「線状」とは、非イオン性界面活性剤の基礎（原料）として使用される脂肪族アルコール類の全量のうち少なくとも９０重量％、好ましくは少なくとも９５重量％、より好ましくは少なくとも９７重量％、最も好ましくは１００重量％が、線状（すなわち直鎖）の脂肪族アルコール類であることを意味する。
【００７３】
本明細書で用いるのに好適な実質的に線状のエトキシル化非イオン性界面活性剤は、マーリパル（Marlipal）（登録商標）２４−７（Ｒは線状Ｃ12及びＣ14アルキル鎖の混合物であり、ｎは７である）、マーリパル（Marlipal）（登録商標）２４−４（Ｒは線状Ｃ12及びＣ14アルキル鎖の混合物であり、ｎは４である）、マーリパル（Marlipal）（登録商標）２４−３（Ｒは線状Ｃ12及びＣ14アルキル鎖の混合物であり、ｎは３である）、マーリパル（Marlipal）（登録商標）２４−２（Ｒは線状Ｃ12及びＣ14アルキル鎖の混合物であり、ｎは２である）又はこれらの混合物である。本明細書で好ましいものは、マーリパル（Marlipal）（登録商標）２４−７、マーリパル（Marlipal）（登録商標）２４−４、又はこれらの混合物である。このようなマーリパル（Marlipal）（登録商標）界面活性剤は、コンディア（Condea）から市販されている。
【００７４】
好ましいエトキシル化非イオン性界面活性剤は上記の式により、１６未満、好ましくは１５未満、より好ましくは１４未満のＨＬＢ（親水性−親油性バランス）を有する。こうしたエトキシル化非イオン性界面活性剤は良好な油脂分解能力を与えることがわかった。
【００７５】
それ故に本明細書で用いるのに好適なエトキシル化非イオン性界面活性剤は、例えばドバノール（Dobanol）（登録商標）９１−２．５（ＨＬＢ＝８．１；ＲはＣ９及びＣ11アルキル鎖の混合物であり、ｎは２．５である）、又はルテンゾール（Lutensol）（登録商標）ＴＯ３（ＨＬＢ＝８；ＲはＣ13アルキル鎖、ｎは３である）、又はルテンゾール（Lutensol）（登録商標）ＡＯ３（ＨＬＢ＝８；ＲはＣ13及びＣ15アルキル鎖の混合物であり、ｎは３である）、又はタージトール（Tergitol）（登録商標）２５Ｌ３（ＨＬＢ＝７．７；ＲはＣ12〜Ｃ15アルキル鎖長の範囲であり、ｎは３である）、又はドバノール（Dobanol）（登録商標）２３−３（ＨＬＢ＝８．１；ＲはＣ12及びＣ13アルキル鎖の混合物であり、ｎは３である）、又はドバノール（Dobanol）（登録商標）２３−２（ＨＬＢ＝６．２；ＲはＣ12及びＣ13アルキル鎖の混合物であり、ｎは２である）、又はドバノール（Dobanol）（登録商標）４５−７（ＨＬＢ＝１１．６；ＲはＣ14及びＣ15アルキル鎖の混合物であり、ｎは７である）である。本明細書で好ましいものは、ドバノール（Dobanol）（登録商標）９１−２．５、又はルテンゾール（Lutensol）（登録商標）ＴＯ３、又はルテンゾール（Lutensol）（登録商標）ＡＯ３、又はタージトール（Tergitol）（登録商標）２５Ｌ３、又はドバノール（Dobanol）（登録商標）２３−３、又はドバノール（Dobanol）（登録商標）２３−２、又はドバノール（Dobanol）（登録商標）４５−７、ドバノール（Dobanol）（登録商標）９１−８、又はドバノール（Dobanol）（登録商標）９１−１０、又はドバノール（Dobanol）（登録商標）９１−１２、又はこれらの混合物である。これらドバノール（Dobanol）（登録商標）界面活性剤は、シェルから市販されている。これらのルテンゾール（Lutensol）（登録商標）界面活性剤は、ＢＡＳＦから、及びこれらのタージトール（Tergitol）（登録商標）界面活性剤はユニオン・カーバイドから市販されている。
【００７６】
アルコキシル化非イオン性界面活性剤を調製するための、本明細書で用いるのに好適な化学的製造方法には、アルキレンオキシドと対応するアルコール類とを好ましい割合で縮合する方法がある。このような方法は、当業者に周知であり、当該技術分野において広く記述されている。
【００７７】
本明細書で用いる他の好適な非イオン性界面活性剤としては、次の式によるポリヒドロキシ脂肪酸アミド界面活性剤又はこれらの混合物が挙げられる：
Ｒ2−Ｃ（Ｏ）−Ｎ（Ｒ1）−Ｚ、
式中、Ｒ1は、Ｈ、又はＣ1〜Ｃ4アルキル、Ｃ1〜Ｃ4ヒドロカルビル、２−ヒドロキシエチル、２−ヒドロキシプロピル、又はこれらの混合物であり、Ｒ2は、Ｃ5〜Ｃ31ヒドロカルビル、Ｚは少なくとも３のヒドロキシルを有し、鎖に直接結合した線状ヒドロカルビル鎖を有するポリヒドロキシヒドロカルビル又はこれらのアルコキシル化誘導体である。
【００７８】
好ましくは、Ｒ1はＣ1〜Ｃ4アルキル、より好ましくはＣ1又はＣ2アルキル、最も好ましくはメチルであり、Ｒ2は直鎖Ｃ7〜Ｃ19アルキル又はアルケニル、好ましくは直鎖Ｃ9〜Ｃ18アルキル又はアルケニル、より好ましくは直鎖Ｃ11〜Ｃ18アルキル又はアルケニル、最も好ましくは直鎖Ｃ11〜Ｃ14アルキル又はアルケニル、又はこれらの混合物である。好ましくはＺは還元型アミン化反応において還元糖から誘導され、より好ましくはＺはグリシチルである。好適な還元糖としては、グルコース、フルクトース、マルトース、ラクトース、ガラクトース、マンノース、及びキシロースが挙げられる。上記の個々の糖類と同様に、原料として、高級ブドウ糖コーンシロップ、高級フルクトースコーンシロップ、及び高級マルトースコーンシロップを利用することができる。これらのコーンシロップは、Ｚの糖成分の混合物を生じる場合がある。これは決して他の好適な原料を排除することを意図するものではないことが理解されるべきである。Ｚは、好ましくは−ＣＨ2−（ＣＨＯＨ）n−ＣＨ2ＯＨ、−ＣＨ（ＣＨ2ＯＨ）−（ＣＨＯＨ）n〜1−ＣＨ2ＯＨ、−ＣＨ2−（ＣＨＯＨ）2（ＣＨＯＲ’）（ＣＨＯＨ）−ＣＨ2ＯＨ、及びこれらのアルコキシ化誘導体から成る群より選択され、式中、ｎは３〜５の整数（３及び５を含む）であり、Ｒ’はＨ又は環状若しくは脂肪族単糖類である。最も好ましいものは、ｎは４であるグリシチルであり、とりわけ好ましくは−ＣＨ2−（ＣＨＯＨ）4−ＣＨ2ＯＨである。
【００７９】
式Ｒ2−Ｃ（Ｏ）−Ｎ（Ｒ1）−Ｚにおいて、Ｒ1は、例えば、Ｎ−メチル、Ｎ−エチル、Ｎ−プロピル、Ｎ−イソプロピル、Ｎ−ブチル、Ｎ−２−ヒドロキシエチル、又はＮ−２−ヒドロキシプロピルであってよい。Ｒ2−Ｃ（Ｏ）−Ｎ＜は、例えば、ココアミド、ステアラミド、オレアミド、ラウラミド、ミリスタミド、カプリカアミド、パルミトアミド、タロウアミドなどであってよい。Ｚは１−デオキシグルシチル、２−デオキシフルクチチル、１−デオキシマルチチル、１−デオキシラクチチル、１−デオキシガラクチチル、１−デオキシマンニチル、１−デオキシマルトトリオチチルなどであってよい。
【００８０】
本明細書で用いる好適なポリヒドロキシ脂肪酸アミド界面活性剤は、ヘキスト（Hoechst）からＨＯＥ（登録商標）の商品名で市販されている。
ポリヒドロキシ脂肪酸アミド界面活性剤の製造方法は当該技術分野において既知である。一般に、それらは還元型アミノ化反応においてアルキルアミンと還元糖を反応させることによって、相当するＮ−アルキルポリヒドロキシアミンを形成し、次いで縮合／アミド化段階においてＮ−アルキルポリヒドロキシアミンと脂肪脂肪族エステル又はトリグリセリドを反応させることによって、Ｎ−アルキル、Ｎ−ポリヒドロキシ脂肪酸アミド生成物を形成することによって製造できる。ポリヒドロキシ脂肪酸アミド類を含有する組成物の製造工程は、例えば英国特許第８０９，０６０号（トーマス・ヘドレー社（Thomas Hedley & Co.）に対して１９５９年２月１８日発行）、米国特許第２，９６５，５７６号（Ｅ．Ｒ．ウィルソン（Wilson）に対して１９６０年１２月２０日発行）及び米国特許第２，７０３，７９８号（アントニー  Ｍ．シュワルツ（Anthony M. Schwartz）に対して１９５５年３月８日発行）、米国特許第１，９８５，４２４号（ピゴット（Piggott）に対して１９３４年１２月２５日発行）及びＰＣＴ国際公開特許ＷＯ９２／０６０７０に開示されており、それぞれ本明細書に参考として組み入れる。
【００８１】
本明細書で用いるのに好適な双極性ベタイン界面活性剤は、相対的に幅広いｐＨ範囲にて、同一分子上に陽イオン系親水性基、すなわち第四級アンモニウム基、及び陰イオン系親水性基の双方を含有する。サルフェート類、ホスホネート類などその他の基を用いることができるが、典型的な陰イオン系親水性基は、カルボキシレート類及びスルホネート類である。本明細書で用いる双極性ベタイン界面活性剤の一般式は次の通りである：
Ｒ1−Ｎ+（Ｒ2）（Ｒ3）Ｒ4Ｘ-
式中、Ｒ1は疎水性基；Ｒ2は水素、Ｃ1〜Ｃ6アルキル、ヒドロキシアルキル、又はその他の置換Ｃ1〜Ｃ6アルキル基であり；Ｒ3はＣ1〜Ｃ6アルキル、ヒドロキシアルキル、又はその他の置換Ｃ1〜Ｃ6アルキル基であって、Ｒ2と結合してＮを有する環状構造を形成することもできる基、又はＣ1〜Ｃ6スルホネート基；Ｒ4は陽イオン性窒素原子と親水性基とをつなぐ部分であって、典型的には、アルキレン、ヒドロキシアルキレン、又は１〜１０個の炭素原子を含有するポリアルコキシ基；及びＸはカルボキシレート又はスルホネート基である親水性基である。
【００８２】
好ましい疎水性基Ｒ1は、脂肪族又は芳香族、飽和又は不飽和、置換又は非置換の、アミド基、エステル基のような連結基を含有することができる炭化水素鎖である。より好ましいＲ1は、１〜２４の、好ましくは８〜１８の、より好ましくは１０〜１６の炭素原子を含有するアルキル基である。コスト及び安定性という理由から、このような単純なアルキル基が好ましい。しかしながら疎水性基Ｒ1はまた、式Ｒa−Ｃ（Ｏ）−ＮＨ−（Ｃ（Ｒb）2）mのアミドラジカルであることも可能であり、式中、Ｒaは脂肪族又は芳香族、飽和又は不飽和、置換又は非置換の炭化水素鎖であり、好ましくはアルキル基は８〜２０までの、好ましくは１８までの、より好ましくは１６までの炭素原子を含有し、Ｒbは水素及びヒドロキシ基から成る群から選択され、ｍは１〜４、好ましくは２〜３、より好ましくは３であり、いかなる（Ｃ（Ｒb）2）部分においても、ヒドロキシ基は１又はそれ以下である。
【００８３】
好ましいＲ2は、水素、又はＣ1〜Ｃ3のアルキルであり、さらに好ましくはメチルである。好ましいＲ3は、Ｃ1〜Ｃ4のスルホネート基、又はＣ1〜Ｃ3のアルキルであり、さらに好ましくはメチルである。好ましいＲ4は（ＣＨ2）nであり、その際ｎは１〜１０、好ましくは１〜６、さらに好ましくは１〜３の整数である。
【００８４】
ベタイン／スルホベタインの一般的な例のいくつかは、米国特許第２，０８２，２７５号、同第２，７０２，２７９号及び同第２，２５５，０８２号に記載されており、参考として本明細書に組み入れる。
【００８５】
特に好適なアルキルジメチルベタイン類の例としては、ココナッツ−ジメチルベタイン、ラウリルジメチルベタイン、デシルジメチルベタイン、２−（Ｎ−デシル−Ｎ，Ｎ−ジメチル−アンモニア）アセテート、２−（Ｎ−ココＮ，Ｎ−ジメチルアンモニオ）アセテート、ミリスチルジメチルベタイン、パルミチルジメチルベタイン、セチルジメチルベタイン、ステアリルジメチルベタインが挙げられる。例えば、ココナッツジメチルベタインは、セピック（Seppic）からアモニル（Amonyl）２６５（登録商標）の商品名で市販されている。ラウリルベタインは、アブライト＆ウィルソン（Albright & Wilson）からエピゲン（Empigen）ＢＢ／Ｌ（登録商標）の商品名で市販されている。
【００８６】
アミドベタイン類の例としては、ココアミドエチルベタイン、ココアミドプロピルベタイン又はＣ10〜Ｃ14脂肪アシルアミドプロピレン（ヒドロプロピレン）スルホベタインが挙げられる。例えば、Ｃ10〜Ｃ14脂肪アシルアミドプロピレン（ヒドロプロピレン）スルホベタインは、シェレックス社（Sherex Company）から「バリオン（Varion）ＣＡＳ（登録商標）スルホベタイン」の商品名で市販されている。
【００８７】
ベタインのさらなる例は、ローヌ・プーラン（Rhone-Poulenc）からミラタイン（Mirataine）Ｈ2Ｃ−ＨＡ（登録商標）の商品名で市販されているラウリル−イミノ−ジプロピオネートである。
【００８８】
本明細書の組成物で用いるのに好適な陰イオン性界面活性剤としては、式ＲＯＳＯ3Ｍの水溶性塩又は酸が挙げられ、式中、Ｒは好ましくはＣ10〜Ｃ24ヒドロカルビル、好ましくはＣ10〜Ｃ20アルキル成分を有するアルキル又はヒドロキシアルキルであり、さらに好ましくはＣ12〜Ｃ18アルキル又はヒドロキシアルキルであり、ＭはＨ、又は陽イオン例えばアルカリ金属陽イオン（例えば、ナトリウム、カリウム、リチウム）、又はアンモニウム又は置換アンモニウム（例えば、メチル−、ジメチル−、及びトリメチルアンモニウム陽イオン、及びテトラメチル−アンモニウム及びジメチルピペリジニウム陽イオンのような第四級アンモニウム陽イオン、並びにエチルアミン、ジエチルアミン、トリエチルアミン、及びこれらの混合物などのアルキルアミンから由来する第四級アンモニウム陽イオンなど）などである。典型的には、より低い洗浄温度（例えば５０℃以下）では、Ｃ12〜16のアルキル鎖が好ましく、より高い洗浄温度（例えば５０℃より高い）では、Ｃ16〜18のアルキル鎖が好ましい。
【００８９】
本明細書で用いるのに好適な他の陰イオン性界面活性剤は、式ＲＯ（Ａ）mＳＯ3Ｍの水溶性塩又は酸であって、式中、Ｒは非置換Ｃ10〜Ｃ24アルキル、又はＣ10〜Ｃ24のアルキル成分を有するヒドロキシアルキル基であり、好ましくはＣ12〜Ｃ20のアルキル又はヒドロキシアルキルであり、より好ましくはＣ12〜Ｃ18のアルキル又はヒドロキシアルキルであり、Ａはエトキシ又はプロポキシ単位であり、ｍは０より大きく、典型的には０．５〜６の間であり、より好ましくは０．５〜３の間であり、ＭはＨ、又は例えば金属陽イオン（例えば、ナトリウム、カリウム、リチウム、カルシウム、マグネシウムなど）、アンモニウム陽イオン、若しくは置換アンモニウム陽イオンであることができる陽イオンである。アルキルエトキシル化サルフェート類並びにアルキルプロポキシル化サルフェート類が、本明細書において考察される。置換アンモニウム陽イオンの具体例としては、メチル−、ジメチル−、トリメチルアンモニウム、及びテトラメチルアンモニウム、ジメチルピペリジニウムのような第四級アンモニウム陽イオン、並びに、エチルアミン、ジエチルアミン、トリエチルアミン、及びこれらの混合物のようなアルカノールアミン類から誘導される陽イオンなどが挙げられる。代表的な界面活性剤はＣ12〜Ｃ18アルキルポリエトキシレート（１．０）サルフェート（Ｃ12〜Ｃ18Ｅ（１．０）ＳＭ））、Ｃ12〜Ｃ18アルキルポリエトキシレート（２．２５）サルフェート（Ｃ12〜Ｃ18Ｅ（２．２５）ＳＭ）、Ｃ12〜Ｃ18アルキルポリエトキシレート（３．０）サルフェート（Ｃ12〜Ｃ18Ｅ（３．０）ＳＭ）、及びＣ12〜Ｃ18アルキルポリエトキシレート（４．０）サルフェート（Ｃ12〜Ｃ18Ｅ（４．０）ＳＭ）であり、式中、Ｍは簡便にナトリウム及びカリウムから選択される。
【００９０】
本明細書で用いるのに好適な他の陰イオン性界面活性剤は、スルホン化陰イオン性界面活性剤であり、本明細書で用いるのに好適なスルホン化陰イオン性界面活性剤としては、アルキルスルホネート類；アルキルアリールスルホネート類；ナフタレンスルホネート類；アルキルアルコキシル化スルホネート類；Ｃ6〜Ｃ20アルキルアルコキシル化線状又は分枝のジフェニルオキシドジスルホネート類、又はこれらの混合物が挙げられる。
【００９１】
本明細書で用いるのに好適なアルキルスルホネート類としては、式ＲＳＯ3Ｍの水溶性塩又は酸が挙げられ、式中、ＲはＣ6〜Ｃ20の線状又は分枝、飽和又は不飽和のアルキル基、好ましくはＣ8〜Ｃ18のアルキル基、さらに好ましくはＣ14〜Ｃ17のアルキル基であり、ＭはＨ、又は例えばアルカリ金属陽イオン（例えば、ナトリウム、カリウム、リチウム）、又は、アンモニウム若しくは置換アンモニウム（例えば、メチル−、ジメチル−、及びトリメチルアンモニウム陽イオン及び例えばテトラメチル−アンモニウム及びジメチルピペルジニウム陽イオンのような第四級アンモニウム陽イオン、及びエチルアミン、ジエチルアミン、トリエチルアミンのようなアルキルアミン及びこれらの混合物から誘導される第四級アンモニウム陽イオンなど）のような陽イオンである。
【００９２】
本明細書での用いるのに適したアルキルアリールスルホネート類としては、式ＲＳＯ3Ｍの水溶性塩又は酸が挙げられ、式中、Ｒはアリール、好ましくは置換されたベンジルであり、この置換基はＣ6〜Ｃ20の線状又は分枝、飽和又は不飽和のアルキル基であり、好ましくはＣ8〜Ｃ18アルキル基であり、より好ましくはＣ10〜Ｃ16アルキル基であり、ＭはＨ、又は陽イオンであり、例えばアルカリ金属陽イオン（例えば、ナトリウム、カリウム、リチウム、カルシウム、マグネシウムなど）、又はアンモニウム若しくは置換アンモニウム（例えば、メチル−、ジメチル−、及びトリメチルアンモニウム陽イオン、並びにテトラメチルアンモニウム、及びジメチルピペリジニウム陽イオンのような第四級アンモニウム陽イオン、並びにエチルアミン、ジエチルアミン、トリエチルアミン、及びこれらの混合物のようなアルキルアミン類から誘導される第四級アンモニウム陽イオンなど）である。
【００９３】
特に好適な線状アルキルスルホネート類としては、ヘキストから市販されているホスタプール（Hostapur）（登録商標）ＳＡＳのようなＣ14〜Ｃ17のパラフィンスルホネートが挙げられる。市販されているアルキルアリ−ルスルホネートの例はＳｕ．Ｍａからのラウリルアリ−ルスルホネートである。特に好適なアルキルアリールスルホネート類は、アルブライトアンドウィルソン（Albright&Wilson）からナンサ（Nansa）（登録商標）の商品名で入手可能なアルキルベンゼンスルホネート類である。
【００９４】
「線状のアルキルスルホネート」とは、本明細書では、アルキル鎖が６〜２０の炭素原子、好ましくは８〜１８の炭素原子、さらに好ましくは１４〜１７の炭素原子を含み、その際このアルキル鎖が一方の末端でスルホン化されている非置換のアルキルスルホネートを意味する。
【００９５】
本明細書で用いるのに好適なアルコキシル化スルホネート界面活性剤は、式Ｒ（Ａ）mＳＯ3Ｍにより、Ｒは線状又は分枝のＣ6〜Ｃ20アルキル成分を有する非置換のＣ6〜Ｃ20アルキル、ヒドロキシアルキル又はアルキルアリール基、好ましくはＣ12〜Ｃ20アルキル又はヒドロキシアルキル、より好ましくはＣ12〜Ｃ18アルキル又はヒドロキシアルキルであり、Ａはエトキシ又はプロポキシ又はブトキシ単位であり、ｍはゼロより大きく、典型的には０．５〜６、より好ましくは０．５〜３であり、ＭはＨ、又は例えば金属陽イオン（例えばナトリウム、カリウム、リチウム、カルシウム、マグネシウムなど）、アンモニウム又は置換アンモニウム陽イオンであることができる陽イオンである。アルキルエトキシル化スルホネート類、アルキルブトキシル化スルホネート類並びにアルキルプロポキシル化スルホネート類が本明細書において考慮される。置換アンモニウム陽イオンの具体例としては、メチル−、ジメチル−、トリメチル−アンモニウム、及びテトラメチル−アンモニウム、ジメチルピペリジニウムのような第四級アンモニウム陽イオン、並びにエチルアミン、ジエチルアミン、トリエチルアミン、及びこれらの混合物のようなアルカノールアミン類から誘導される陽イオンなどが挙げられる。代表的な界面活性剤はＣ12〜Ｃ18アルキルポリエトキシレート（１．０）スルホネート（Ｃ12〜Ｃ18Ｅ（１．０）ＳＯ3Ｍ）、Ｃ12〜Ｃ18アルキルポリエトキシレート（２．２５）スルホネート（Ｃ12〜Ｃ18Ｅ（２．２５）ＳＯ3Ｍ）、Ｃ12〜Ｃ18アルキルポリエトキシレート（３．０）スルホネート（Ｃ12〜Ｃ18Ｅ（３．０）ＳＯ3Ｍ）、及びＣ12〜Ｃ18アルキルポリエトキシレート（４．０）スルホネート（Ｃ12〜Ｃ18Ｅ（４．０）ＳＯ3Ｍ）であり、式中、Ｍはナトリウム及びカリウムから選択されるのが好都合である。特に好適なアルコキシル化スルホネート類としては、ユニオン・カーバイドから市販されているトリトン  Ｘ−２００（登録商標）のようなアルキルアリールポリエーテルスルホネートが挙げられる。
【００９６】
本明細書で用いるのに好適なＣ6〜Ｃ20アルキルアルコキシル化線状又は分枝のジフェニルオキシドジスルホネート界面活性剤は、次の式による：
【００９７】
【化１５】
2005502767.tif 000016
式中、ＲはＣ6〜Ｃ20の線状又は分枝、飽和又は不飽和のアルキル基、好ましくはＣ12〜Ｃ18アルキル基、より好ましくはＣ14〜Ｃ16アルキル基であり、Ｘ＋はＨ、又は例えばアルカリ金属陽イオン（例えば、ナトリウム、カリウム、リチウム、カルシウム、マグネシウムなど）のような陽イオンである。本明細書で用いるのに特に好適なＣ6〜Ｃ20アルキルアルコキシル化線状又は分枝のジフェニルオキシドジスルホネート界面活性剤としては、ダウ社からそれぞれダウファックス２Ａ１（登録商標）及びダウファックス８３９０（登録商標）の商品名で市販されている分枝のＣ12ジフェニルオキシドジスルホン酸及び線状Ｃ16ジフェニルオキシドジスルホネートのナトリウム塩である。
【００９８】
本明細書で好適な他の陰イオン性界面活性剤としては、スルホサクシネート界面活性剤、アルキルカルボキシレート界面活性剤、スルホサクシナメート界面活性剤及びスルホサクシンアミド界面活性剤が挙げられる。
【００９９】
本明細書で用いるのに好適なアルキルカルボキシレート界面活性剤は、式ＲＣＯ2Ｍにより、式中、Ｒは６〜２０、好ましくは８〜１８、より好ましくは１０〜１６の炭素原子を含有する直鎖又は分枝のアルキルラジカル、及びアルキル基に６〜１８の炭素原子を含有するアルキルフェニルラジカルから成る群から選択される炭化水素を表す。ＭはＨ、又は例えばアルカリ金属陽イオン（例えば、ナトリウム、カリウム、リチウム、カルシウム、マグネシウムなど）又はアンモニウム又は置換アンモニウム（例えば、メチル−、ジメチル−、及びトリメチルアンモニウム陽イオン及び例えば、テトラメチル−アンモニウム及びジメチルピペルジニウム陽イオンのような第四級アンモニウム陽イオン、及びエチルアミン、ジエチルアミン、トリエチルアミン、及びこれらの混合物のようなアルキルアミンから誘導される第四級アンモニウム陽イオンなど）のような陽イオンである。
【０１００】
洗浄目的のために有用な他の陰イオン性界面活性剤も、本明細書において使用することができる。これらには、石鹸の塩（例えば、ナトリウム、カリウム、アンモニウム、及び置換型アンモニウム塩、例えばモノ−、ジ−、及びトリエタノールアミン塩を含む）、例えば英国特許第１，０８２，１７９号に記載のとおりにアルカリ土類金属クエン酸塩の加熱分解生成物のスルホン化によって調製されるスルホン化ポリカルボン酸、Ｃ8〜Ｃ24アルキルポリグリコールエーテルサルフェート類（１０モルまでのエチレンオキシドを含有）；Ｃ14〜16メチルエステルスルホネート類のようなアルキルエステルスルホネート類；アシルグリセロールスルホネート類、脂肪族オレイルグリセロールサルフェート類、アルキルフェノールエチレンオキシドエーテルサルフェート類、アルキルホスフェート類、アシルイセチオネート類のようなイセチオネート類、Ｎ−アシルタウレート類、アルキルグルコシド類のサルフェート類のようなアルキル多糖類のサルフェート類（以下で記載される非イオン性非硫酸化化合物）、分枝一級アルキルサルフェート類、式ＲＯ（ＣＨ2ＣＨ2Ｏ）kＣＨ2ＣＯＯ−Ｍ+（式中、ＲはＣ8〜Ｃ22アルキルであり、ｋは０〜１０の整数であり、Ｍは可溶性の塩形成陽イオンである）のようなアルキルポリエトキシカルボキシレート類が挙げられる。ロジン、水素添加ロジンなどの樹脂酸類及び水素添加樹脂酸類も好適であり、樹脂酸類及び水素添加樹脂酸類はトール油中に存在するか又はトール油に由来する。さらなる例は「界面活性剤及び洗剤（Surface Active Agents and Detergents）」（Ｉ及びＩＩ巻、シュワルツ（Schwartz）、ペリー（Perry）及びバーチ（Berch））に示されている。種々のこうした界面活性剤はまた、ラフリン（Laughlin）らに対して１９７５年１２月３０日に発行された米国特許第３，９２９，６７８号の２３欄５８行〜２９欄２３行に概ね開示されている（参考として本明細書に組み込まれる）。
【０１０１】
本明細書で用いるのに好適な他の陰イオン性界面活性剤としてはまた、酸形態及び／又は塩形態のアシルサルコシネートが挙げられる。天然の脂肪酸類の誘導体である、前記アシルサルコシネート類は迅速及び完全に生分解性であり、良好な皮膚適合性を有する。
【０１０２】
それ故に、本明細書で用いるのに好適な長鎖アシルサルコシネート類としては、Ｃ12アシルサルコシネート（すなわち式中、Ｍが水素であり、Ｒが１１の炭素原子を有するアルキル基である上記の式によるアシルサルコシネート）、及びＣ14アシルサルコシネート（すなわち式中、Ｍが水素であり、Ｒが１３の炭素原子を有するアルキル基である上記の式によるアシルサルコシネート）が挙げられる。Ｃ12アシルサルコシネートは、例えば、ハンプシャー社（Hampshire）によって供給されるハンポシル（Hamposyl）Ｌ−３０（登録商標）として市販されている。Ｃ12アシルサルコシネートは、例えば、ハンプシャー社（Hampshire）によって供給されるハンポシル（Hamposyl）Ｍ−３０（登録商標）として市販されている。
【０１０３】
本明細書で用いるのに好適な両性界面活性剤には、式Ｒ1Ｒ2Ｒ3ＮＯを有するアミンオキシド類が挙げられ、式中、Ｒ1、Ｒ2及びＲ3がそれぞれ独立して、１〜３０個までの炭素原子を有する飽和置換又は非置換、線状又は分枝の炭化水素鎖である。本発明に従って用いるのに好ましいアミンオキシド界面活性剤は、式Ｒ1Ｒ2Ｒ3ＮＯを有するアミンオキシド類であり、式中、Ｒ1は１〜３０個、好ましくは６〜２０個、さらに好ましくは８〜１６個、最も好ましくは８〜１２個の炭素原子を含む炭化水素鎖であり、Ｒ2及びＲ3はそれぞれ独立して、１〜４個、好ましくは１〜３個の炭素原子を含む置換又は非置換、線状又は分枝の炭化水素鎖、さらに好ましくはメチル基である。Ｒ１は飽和の置換又は非置換、線状又は分枝の炭化水素鎖であってもよい。本明細書で用いるのに好適なアミンオキシド類は、例えばヘキスト社から市販されているナチュラルブレンドＣ8〜Ｃ10アミンオキシド類並びにＣ12〜Ｃ16アミンオキシド類である。
【０１０４】
（再汚染防止ポリマー）
本発明による組成物は、極めて好ましいが任意成分として再汚染防止ポリマーを含んでもよい。
【０１０５】
好適な再汚染防止ポリマーには、汚れを浮遊させるポリアミンポリマー類が挙げられる。当業者に既知のいかなる汚れを浮遊させるポリアミンポリマーも本明細書で使用してもよい。本明細書で用いるのに特に好適なポリアミンポリマー類はアルコキシル化ポリアミン類である。このような物質は、反復単位を伴った経験的構造の分子として簡便に表すことができる：
【０１０６】
【化１６】
2005502767.tif 000017
及び
【０１０７】
【化１７】
2005502767.tif 000018
式中、Ｒは通常は２〜６の炭素原子のヒドロカルビル基であり；Ｒ1はＣ1〜Ｃ20の炭化水素であってもよく；アルコキシ基は、エトキシ、プロポキシなどであり、ｙは２〜３０、最も好ましくは７〜２０であり；ｎは少なくとも２、好ましくは２〜４０、最も好ましくは２〜５の整数であり；Ｘはハライドのような陰イオン又はメチルサルフェートであり、結果として四級化反応を生じる。
【０１０８】
本明細書で用いるのに極めて好ましいポリアミン類は、いわゆるエトキシ化ポリエチレンアミン類、すなわち次の一般式を有するエチレンオキシドとエチレンイミンとの重合反応生成物である：
【０１０９】
【化１８】
2005502767.tif 000019
式中、ｙは２〜５０、好ましくは５〜３０であり、ｎは１〜４０、好ましくは２〜４０である。本明細書で用いるのに特に好ましいのは、エトキシル化ポリエチレンアミンであり、特にｎ＝２且つｙ＝２０であるエトキシ化ポリエチレンアミン及びｎ＝４０且つｙ＝７であるエトキシル化ポリエチレンアミンである。
【０１１０】
好適なエトキシル化ポリエチレンアミン類は、株式会社日本触媒からＥＳＰ−０６２０Ａ（登録商標）（ｎ＝２且つｙ＝２０であるエトキシル化ポリエチレンアミン）の製品名で、又はＢＡＳＦからＥＳ−８１６５の製品名で、及びＢＡＳＦからルテンシット（LUTENSIT）Ｋ−１８７／５０（登録商標）（ｎ＝４０且つｙ＝７であるエトキシル化ポリエチレンアミン）の製品名で市販されている。
【０１１１】
さらに、本明細書で用いるのに極めて好ましいポリアミン類は、次の一般式を有するいわゆるエトキシル化ポリエチレン四級化アミン類である：
【０１１２】
【化１９】
2005502767.tif 000020
式中、ｙは２〜５０、好ましくは５〜３０であり、ｎは１〜４０、好ましくは２〜４０であり、Ｒ１及びＲ２は独立して、Ｃ1〜Ｃ20炭化水素である。本明細書で用いるのに特に好ましいのは、エトキシ化ポリエチレンアミンであり、特にｎ＝２且つｙ＝２０であるエトキシ化ポリエチレンアミン、及びｎ＝４０且つｙ＝７であるエトキシ化ポリエチレンアミンである。
【０１１３】
本明細書で特に好ましいものは、ＢＡＳＦからルテンシット（Lutensit）Ｋ−ＨＤ９６（登録商標）の商品名で市販されている２４−エトキシル化ヘキサメチレンジアミン四級化メチルクロリド（ＥＨＤＱ）である。
【０１１４】
（増粘剤）
本発明による組成物は、極めて好ましいが任意の成分として増粘剤を含んでいてもよい。
【０１１５】
本発明の好ましい組成物は、４ｃｍのスピンドルを用いたＣＳＬ2１００（登録商標）レオメーター（２分以内に１０〜１００ｄｙｎｅ／ｃｍ2の線状増加）によって２０℃で測定した場合、１ｃｐｓ又はそれ以上、より好ましくは５ｃｐｓ〜５０００ｃｐｓ、さらにより好ましくは１０ｃｐｓ〜２５００ｃｐｓの粘度を有していてもよい。
【０１１６】
典型的には、本発明による漂白組成物は、組成物全体の０．００１重量％〜１０重量％の、好ましくは０．０５重量％〜５重量％、より好ましくは０．１重量％〜１．０重量％の増粘剤を含んでもよい。
【０１１７】
（アルコキシル化安息香酸）
本発明による組成物、好ましくは本明細書に記載されるような布地処理方法に使用される本発明による組成物は、極めて好ましいが任意成分としてアルコキシル化安息香酸又はこれらの塩を含んでいてもよい。
【０１１８】
一般に、アルコキシル化安息香酸又はそれらの塩は次の一般式を有する：
【０１１９】
【化２０】
2005502767.tif 000021
式中：ベンゼン環の置換基Ｘ及びＹは独立して、−Ｈ又は−ＯＲ’から選択され；Ｒ’は独立して、Ｃ1〜Ｃ20線状又は分枝のアルキル鎖から選択され、好ましくはＲ’は独立して、Ｃ1〜Ｃ5線状又は分枝のアルキル鎖、より好ましくはＲ’は−ＣＨ3であり；Ｍは、水素、陽イオン又は陽イオン性部分である。好ましくは、Ｍは、水素、アルカリ金属イオン及びアルカリ土類金属イオンから成る群から選択される。より好ましくは、Ｍは、水素、ナトリウム及びカリウムから成る群から選択される。さらにより好ましくは、Ｍは水素である。
【０１２０】
好ましくは、前記アルコキシル化安息香酸又はそれらの塩は、モノアルコキシ安息香酸又はそれらの塩、ジアルコキシ安息香酸又はそれらの塩；トリアルコキシ安息香酸又はそれらの塩；並びにこれらの混合物から成る群から選択される。より好ましくは、前記アルコキシル化安息香酸又はそれらの塩は、ジアルコキシ安息香酸又はそれらの塩；トリアルコキシ安息香酸又はそれらの塩；並びにこれらの混合物から成る群から選択される。さらにより好ましくは、前記アルコキシル化安息香酸又はそれらの塩は、トリメトキシ安息香酸又はそれらの塩である。
【０１２１】
本発明の極めて好ましい実施形態では、前記アルコキシル化安息香酸又はこれらの塩は、トリメトキシ安息香酸又はそれらの塩（ＴＭＢＡ）であり、ここで上記の式ではベンゼン環の置換基Ｘ及びＹは−ＯＲ’であり；Ｒ’は−ＣＨ3であり；Ｍは、水素、陽イオン又は陽イオン性部分である。
【０１２２】
好ましくは、前記アルコキシル化安息香酸又はそれらの塩は、３，４，５，−トリメトキシ安息香酸、それらの塩、２，３，４−トリメトキシ安息香酸、それらの塩、２，４，５−トリメトキシ安息香酸、それらの塩、及びこれらの混合物から成る群から選択される。より好ましくは、前記アルコキシル化安息香酸又はそれらの塩は、３，４，５−トリメトキシ安息香酸又はそれらの塩である。さらにより好ましくは、前記アルコキシル化安息香酸又はそれらの塩は、３，４，５−トリメトキシ安息香酸である。
【０１２３】
好適なモノアルキル安息香酸又はこれらの塩は、アルドリッチから市販されており、特にｍ−メトキシ安息香酸はアルドリッチから市販されている。好適なトリメトキシ安息香酸又はそれらの塩は、アルドリッチ及びメルクから市販されている。
【０１２４】
典型的には、本発明による漂白組成物は、組成物全体の０．００１重量％〜５重量％、好ましくは０．００５重量％〜２．５重量％、より好ましくは０．０１重量％〜１．０重量％の前記アルコキシル化安息香酸又はそれらの塩を含んでいてもよい。
【０１２５】
（ビルダー）
本発明の漂白組成物はさらに、１又はそれ以上のビルダー及び／又は変性されたポリカルボキシレート共ビルダーを含んでいてもよい。
好適なビルダーは、有機酸及びそれらの塩；ポリカルボキシレート類；並びにこれらの混合物から成る群から選択される。典型的には、前記ビルダーは少なくとも３のカルシウムキレート化定数（ｐＫＣａ）を有する。本明細書においてビルダー又はそれらの混合物のｐＫＣａ値は、０．１ＭのＮＨ4Ｃｌ−ＮＨ4ＯＨ緩衝液（２５℃でｐＨ１０）及び前記ビルダー又はそれらの混合物の０．１％溶液を用いて標準カルシウムイオン電極で測定される。
【０１２６】
ビルダーの例は、クエン酸、乳酸、酒石酸、シュウ酸、リンゴ酸、モノコハク酸、二コハク酸、オキシ二コハク酸、カルボキシメチルオキシコハク酸、二グリコール酸、カルボキシメチルタルトロネート（tartronate）、ジタルトロネート（ditartronate）及びその他の有機酸又はこれらの混合物などの有機酸である。
【０１２７】
有機酸の好適な塩としては、アルカリ金属のもの、好ましくはナトリウム又はカリウム、アルカリ土類金属、アンモニウム又はアルカノールアミン塩が挙げられる。
このような有機酸及びそれらの塩は、ユングブンツラウル（Jungbunzlaur）、ハールマン・アンド・ライネン（Haarman & Reimen）、シグマ・アルドリッチ（Sigma-Aldrich）又はフルカ（Fluka）から市販されている。
【０１２８】
他の好適なビルダーとしては、種々のポリカルボキシレート化合物が挙げられる。本明細書で用いるとき、「ポリカルボキシレート」とは、複数のカルボキシレート基、好ましくは少なくとも３つのカルボキシレートを有する化合物のことを指す。ポリカルボキシレートビルダーは、一般に酸形態で組成物に添加することができるが、中和された塩又は「過塩基性（overbased）」の形態で添加することもできる。塩の形態で用いるときは、ナトリウム、カリウム、及びリチウムのようなアルカリ金属塩、又はアルカノールアンモニウム塩が好ましい。
【０１２９】
有用なポリカルボキシレート類には、アクリル酸のホモポリマー、及びアクリル酸とマレイン酸のコポリマーを含む。
他の有用なポリカルボキシレートビルダーとしては、エーテルヒドロキシポリカルボキシレート、エチレン又はビニルメチルエーテルとの無水マレイン酸のコポリマー、１，３，５−トリヒドロキシベンゼン−２，４，６−トリスルホン酸、及びカルボキシメチルオキシコハク酸、ニトリロ三酢酸のようなポリ酢酸の様々なアルカリ金属塩、アンモニウム塩及び置換アンモニウム塩、並びにメリト酸、コハク酸、オキシ二コハク酸、ポリマレイン酸、ベンゼン１，３，５−トリカルボン酸、カルボキシメチルオキシコハク酸のようなポリカルボキシレート類、及びこれらの可溶性の塩が挙げられる。
好適なポリカルボキシレート類は、ローム・アンド・ハース（Rohm & Haas）からノラゾール（Norasol）（登録商標）又はアキュゾール（Acusol）（登録商標）の商品名で市販されている。
【０１３０】
本明細書で好ましいビルダーは、クエン酸；酒石酸；タータラートモノサクシネート；タータラートジサクシネート；乳酸；シュウ酸；及びリンゴ酸；並びにこれらの混合物から成る群から選択される。本明細書でさらにより好ましいビルダーは、クエン酸；酒石酸；タータラートモノサクシネート；タータラートジサクシネート；及びリンゴ酸；並びにこれらの混合物から成る群から選択される。本明細書で最も好ましいビルダーは、クエン酸；酒石酸；タータラートモノサクシネート；及びタータラートジサクシネート；並びにこれらの混合物から成る群から選択される。
【０１３１】
典型的には、本明細書の漂白組成物は、組成物全体の４０重量％まで、好ましくは０．０１重量％〜２５重量％、より好ましくは０．１重量％〜１５重量％、最も好ましくは０．５重量％〜１０重量％のビルダーを含んでいてもよい。
【０１３２】
本発明の組成物はさらに、変性されたポリカルボキシレート共ビルダーを含んでいてもよい。
「ポリカルボキシレート」という用語は、複数のカルボキシレート基、好ましくは少なくとも３つのカルボキシレートを有する化合物のことを指す。
本明細書では、「変性されたポリカルボキシレート」とは、ポリカルボキシレート化合物、すなわちポリカルボキシレート鎖の少なくとも１つの末端において、この化合物が官能基、例えばホスホノ基によって修飾されていることを意味する。
好ましい変性ポリカルボキシレート共ビルダーは、ホスホノ末端基を有するポリカルボキシレート類である。
【０１３３】
本明細書において「ホスホノ末端基」とは、次の式によるホスホノ官能基を意味する：
【０１３４】
【化２１】
2005502767.tif 000022
式中、各Ｍは独立して、Ｈ又は陽イオン、好ましくは双方のＭはＨである。
【０１３５】
ホスホノ末端基を有する好適なポリカルボキシレート類の例は、ホスホノ末端基を有するアクリル酸とマレイン酸のコポリマー、及びホスホノ末端基を有するアクリル酸のホモポリマーである。
【０１３６】
好ましい変性ポリカルボキシレートは、次の一般式によるホスホン／ホスホノ末端基を有するアクリル酸及びマレイン酸のコポリマーであり：
【０１３７】
【化２２】
2005502767.tif 000023
１０００〜１０００００の平均分子量、好ましくは１０００〜２００００の平均分子量、より好ましくは１０００〜１００００の平均分子量、最も好ましくは１５００〜５０００の平均分子量を有し；式中、ｎが１０モル％〜９０モル％、好ましくは８０モル％であり、ｍは１０モル％〜９０モル％、好ましくは２０モル％である。
【０１３８】
それ故に、好適な変性ポリカルボキシレートの例は、次の式による、ホスホン／ホスホノ末端基を有するアクリル酸とマレイン酸（８０／２０）のコポリマーである：
【０１３９】
【化２３】
2005502767.tif 000024
式中、ｎは８０モル％であり、ｍは２０モル％であり；２０００の平均分子量を有する。
【０１４０】
このような変性ポリカルボキシレートは、ローム・アンド・ハース（Rohm & Haas）からアクゾール（Acusol）４２５（登録商標）、アクゾール（Acusol）４２０（登録商標）、又はアクゾール（Acusol）４７０（登録商標）の商品名で入手可能である。
典型的には、本明細書の漂白組成物は、組成物全体の４０重量％まで、好ましくは０．０１重量％〜２５重量％、より好ましくは０．１重量％〜１５重量％、最も好ましくは０．５重量％〜５重量％の変性ポリカルボキシレート共ビルダーを含んでいてもよい。
【０１４１】
（キレート剤）
本発明の漂白組成物は、好ましい任意の成分としてキレート剤を含んでいてもよい。好適なキレート剤は、ホスホネートキレート剤、アミノカルボキシレートキレート剤、他のカルボキシレートキレート剤、多官能性置換芳香族キレート剤、エチレンジアミンＮ，Ｎ’−二コハク酸、又はこれらの混合物から成る群から選択されるものなどの当業者に既知のいずれのものでもよい。
【０１４２】
キレート剤は本明細書の組成物のイオン強度を増加させ、それによって様々な表面におけるそれらの染み除去及び漂白性能を向上させるので、本発明の組成物においてキレート剤が望ましい場合がある。キレート剤の存在はまた、特に洗濯洗浄中適用における布地の引張り強度損失及び／又は色損傷を低減するのにも寄与する。実際には、キレート剤は布地の表面上及び／又はさもなければ過酸化物漂白のラジカル分解に寄与する洗浄組成物（非希釈又は希釈）中に存在する金属イオンを不活性化する。
【０１４３】
本明細書で用いるのに好適なホスホネートキレート剤としては、アルカリ金属エタン１−ヒドロキシジホスホネート類（ＨＥＤＰ）、アルキレンポリ（アルキレンホスホネート）、並びに、アミノアミノトリ（メチレンホスホン酸）（ＡＴＭＰ）、ニトリロトリメチレンホスホネート類（ＮＴＰ）、エチレンジアミンテトラメチレンホスホネート類、及びジエチレントリアミンペンタメチレンホスホネート類（ＤＴＰＭＰ）を含むアミノホスホネート化合物が挙げられる。ホスホネート化合物は、その酸性官能基の一部又は全てにおいて酸型であるか、又は異なった陽イオンの塩として存在してもよい。本明細書で用いるのに好ましいホスホネートキレート剤は、ジエチレントリアミンペンタメチレンホスホネート（ＤＴＰＭＰ）及びエタン１−ヒドロキシジホスホネート（ＨＥＤＰ）である。このようなホスホンネートキレート剤は、モンサント社（Monsanto）からデクエスト（DEQUEST）（登録商標）の商品名で市販されている。
【０１４４】
多官能基置換芳香族キレート剤も本明細書の組成物において有用である場合がある。１９７４年５月２１日にコナー（Connor）らに対して発行された米国特許第３，８１２，０４４号を参照のこと。この種の酸型の好ましい化合物は、１，２−ジヒドロキシ−３，５−ジスルホベンゼンなどのジヒドロキシジスルホベンゼン類である。
【０１４５】
本明細書で用いるのに好ましい生分解性キレート剤は、エチレンジアミンＮ，Ｎ’−二コハク酸、又はアルカリ金属塩、又はアルカリ土類塩、アンモニウム塩若しくは置換アンモニウム塩、又はこれらの混合物である。エチレンジアミンＮ，Ｎ’−二コハク酸類、特に（Ｓ，Ｓ）異性体については、１９８７年１１月３日にハートマン（Hartman）及びパーキンス（Perkins）に対して発行された米国特許第４，７０４，２３３号に広く記載されている。エチレンジアミンＮ，Ｎ’−二コハク酸は、例えば、パルマー・リサーチ研究所（Palmer Research Laboratories）からｓｓＥＤＤＳ（登録商標）の商品名で市販されている。
【０１４６】
本明細書で用いるのに好適なアミノカルボキシレート類としては、酸形態、又はアルカリ金属塩、アンモニウム塩、及び置換アンモニウム塩の形態の双方での、エチレンジアミンテトラアセテート類、ジエチレントリアミンペンタアセテート類、ジエチレントリアミンペンタアセテート（ＤＴＰＡ），Ｎ−ヒドロキシエチルエチレンジアミントリアセテート類、ニトリロトリ−アセテート類、エチレンジアミンテトラプロピオネート類、トリエチレンテトラアミンヘキサ−アセテート類、エタノール−ジグリシン類、プロピレンジアミン四酢酸（ＰＤＴＡ）及びメチルグリシンニ酢酸（ＭＧＤＡ）が挙げられる。本明細書で用いるのに特に好適なアミノカルボキシレート類は、ジエチレントリアミン五酢酸、例えばＢＡＳＦよりトリロンＦＳ（Trilon FS）（登録商標）の商品名で市販されているプロピレンジアミン四酢酸（ＰＤＴＡ）、及びメチルグリシン二酢酸（ＭＧＤＡ）である。
さらに、本明細書で用いるカルボン酸キレート剤としてはサリチル酸、アスパラギン酸、グルタミン酸、グリシン、マロン酸又はこれらの混合物が挙げられる。
【０１４７】
本明細書で用いるその他のキレート剤は、次の式のものである：
【０１４８】
【化２４】
2005502767.tif 000025
式中、Ｒ1、Ｒ2、Ｒ3、及びＲ4は、−Ｈ、アルキル、アルコキシ、アリール、アリールオキシ、−Ｃｌ、−Ｂｒ、ＮＯ2、−Ｃ（Ｏ）Ｒ’、及び−ＳＯ2Ｒ’’から成る群から独立して選択され；式中、Ｒ’は、−Ｈ、−ＯＨ、アルキル、アルコキシ、アリール、及びアリールオキシから成る群から選択され；Ｒ’’は、アルキル、アルコキシ、アリール、アリールオキシから成る群から選択され；Ｒ5、Ｒ6、Ｒ7、及びＲ8は−Ｈ及びアルキルから成る群から独立して選択される。
【０１４９】
本明細書で用いるのに特に好ましいキレート剤は、アミノアミノトリ（メチレンホスホン酸）、ジ−エチレン−トリアミノ−五酢酸、ジエチレントリアミンペンタメチレンホスホネート、１−ヒドロキシエタンジホスホネート、エチレンジアミンＮ，Ｎ’−二コハク酸、及びこれらの混合物である。
【０１５０】
典型的には、本発明による漂白組成物は、組成物全体の５重量％まで、好ましくは０．０１重量％〜１．５重量％、より好ましくは０．０１重量％〜０．５重量％のキレート剤を含んでもよい。
【０１５１】
（溶媒）
本発明の漂白組成物はさらに溶媒を含んでもよい。
本明細書の好ましい溶媒としては、疎水性溶媒、親水性溶媒及びこれらの混合物が挙げられる。
本明細書の溶媒の親水性又は疎水性特性を定義するために、次の親水性指数（ＨＩ）を使用する：
【０１５２】
【数１】
2005502767.tif 000026
本明細書において所与の溶媒の「親水性部分」とは、所与溶媒の基Ｏ、ＣＯ、ＯＨ全てを意味する。
【０１５３】
本明細書において「溶媒の親水性部分の分子量」とは、所与溶媒の親水性部分全ての総分子量を意味する。
【０１５４】
本明細書で用いる親水性溶媒は、１８を超える、好ましくは２５を超える、より好ましくは３０を超える親水性指数を有し、本明細書で用いる疎水性溶媒は、１８未満、好ましくは１７未満、より好ましくは１６以下の親水性指数を有する。
【０１５５】
本明細書で用いる好適な疎水性溶媒としては、パラフィン類、テルペン類又はテルペン誘導体、並びにアルコキシル化脂肪族又は芳香族アルコール類、脂肪族又は芳香族アルコール類、グリコール類又はアルコキシル化グリコール類、及びこれらの混合物が挙げられ、これら全ての溶媒は１８未満の親水性指数を有する。
【０１５６】
好適なテルペン類（親水性指数０）はモノ−及び二環式モノテルペン類であり、特にテルピネン類、テルピノレン類、リモネン類及びピネン類、並びにこれらの混合物を含む炭化水素類のテルペン類である。この種の物質で特に好ましいのはｄ−リモネン、ジペンテン、α−ピネン及び／又はβ−ピネンである。例えば、ピネンはＳＣＭグリコ（Glidco）社（ジャックソンヴィル）からアルファ・ピネン（Alpha Pinene）Ｐ＆Ｆ（登録商標）の商品名で市販されている。
【０１５７】
１８未満の親水性指数を有する、アルコール類、アルデヒド類、エステル類、及びケトン類のようなテルペン誘導体を本明細書で使用してもよい。このような物質は、例えばテルピネオール及びリナロールのα及びβ異性体として市販されている。
【０１５８】
全ての種類のパラフィン類（親水性指数０）を本明細書で用いることができ、線状及び分枝のもの双方は２〜２０、好ましくは４〜１０、より好ましくは６〜８の炭素原子を含有する。本明細書で好ましいのはオクタンである。オクタンは、例えばＢＡＳＦから市販されている。
【０１５９】
本明細書で用いるのに好適な疎水性アルコキシル化脂肪族又は芳香族アルコール類は、式Ｒ−（Ａ）n−ＯＨにより、式中、Ｒは１〜２０、好ましくは２〜１５、さらに好ましくは２〜１０の炭素原子の線状又は分枝、飽和又は不飽和のアルキル基、又はアルキル置換若しくは非アルキル置換アリール基であり、Ａはアルコキシ基、好ましくはブトキシ、プロポキシ及び／又はエトキシ基であって、ｎは１〜５、好ましくは１〜２の整数である。本明細書で用いる好適な疎水性アルコキシル化アルコールは、１−メトキシ−１１−ドデカノール（ＨＩ＝１５）である。
【０１６０】
本明細書で用いるのに好適な疎水性脂肪族又は芳香族アルコール類は、式Ｒ−ＯＨにより、式中、Ｒは１〜２０、好ましくは２〜１５、より好ましくは２〜１０の炭素原子の線状又は分枝、飽和又は不飽和のアルキル基、又はアルキル置換若しくは非アルキル置換アリール基である。本明細書で用いる好適な脂肪族アルコール類としては、デカノール（ＨＩ＝７）のような線状アルコールが挙げられる。本明細書で用いる好適な芳香族アルコールはベンジルアルコール（ＨＩ＝１６）である。
【０１６１】
本明細書で用いるのに好適なグリコール類は、式ＨＯ−ＣＲ1Ｒ2−ＯＨにより、式中、Ｒ1及びＲ2は独立して、Ｈ又はＣ2〜Ｃ10飽和又は不飽和脂肪族炭化水素鎖及び／又は環状炭化水素鎖である。本明細書で用いるのに好適なグリコールは、ドデカングリコール（ＨＩ＝１６）である。
【０１６２】
本明細書で用いるのに好適な疎水性アルコキシル化グリコール類は、式Ｒ−（Ａ）n−Ｒ1−ＯＨにより、式中、ＲはＨ、ＯＨ、１〜２０、好ましくは２〜１５、さらに好ましくは２〜１０の炭素原子の線状、飽和又は不飽和アルキルであり、Ｒ1はＨ又は１〜２０、好ましくは２〜１５、さらに好ましくは２〜１０の炭素原子の線状飽和又は不飽和アルキルであり、Ａはアルコキシ基、好ましくはエトキシ、メトキシ及び／又はプロポキシ基であり、ｎは１〜５、好ましくは１〜２である。本明細書で用いるのに好適なアルコキシル化グリコールは、メトキシオクタデカノール（ＨＩ＝１１）である。
本明細書で用いるのに特に好ましい疎水性溶媒としては、ｄ−リモネン、ジペンテン、α−ピネン、β−ピネン、オクタン、ベンジルアルコール又はこれらの混合物が挙げられる。
【０１６３】
本明細書で用いる好適な親水性溶媒としては、アルコキシル化脂肪族又は芳香族アルコール類、脂肪族又は芳香族アルコール類、グリコール類又はアルコキシル化グリコール類、及びこれらの混合物が挙げられ、これら全ての溶媒は１８を超える親水性指数を有する。
【０１６４】
本明細書で用いるのに好適な親水性アルコキシル化脂肪族又は芳香族アルコール類は、式Ｒ−（Ａ）n−ＯＨにより、Ｒは１〜２０、好ましくは２〜１５、さらに好ましくは２〜１０の炭素原子の線状又は分枝、飽和又は不飽和のアルキル基、又はアルキル置換若しくは非アルキル置換アリール基であり、Ａはアルコキシ基、好ましくはブトキシ、プロポキシ及び／又はエトキシ基であって、ｎは１〜５、好ましくは１〜２の整数である。本明細書で用いるのに特に好適なアルコキシル化アルコール類としては、メトキシプロパノール（ＨＩ＝３７）、エトキシプロパノール（ＨＩ＝３２）、プロポキシプロパノール（ＨＩ＝２８）、及び／又はブトキシプロパノール（ＨＩ＝２７）が挙げられる。
【０１６５】
本明細書で用いるのに好適な親水性脂肪族又は芳香族アルコール類は式Ｒ−ＯＨにより、式中、Ｒは１〜２０、好ましくは２〜１５、より好ましくは２〜１０の炭素原子の線状又は分枝、飽和又は不飽和のアルキル基、又はアルキル置換若しくは非アルキル置換アリール基である。本明細書で用れる特に好適な脂肪族線状アルコール類としてはエタノール（ＨＩ＝３７）及び／又はプロパノール（ＨＩ＝２８）のような線状アルコール類が挙げられる。
【０１６６】
本明細書で用いるのに好適な親水性グリコール類は式ＨＯ−ＣＲ1Ｒ2−ＯＨにより、式中、Ｒ1及びＲ2は独立して、Ｈ又はＣ2〜Ｃ10飽和又は不飽和脂肪族炭化水素鎖及び／又は環状炭化水素鎖である。本明細書で用いるのに特に好適なグリコールは、プロパンジオール（ＨＩ＝４５）である。
【０１６７】
本明細書で用いるのに好適な親水性アルコキシル化グリコール類は、式Ｒ−（Ａ）n−Ｒ1−ＯＨにより、式中、Ｒは、Ｈ、ＯＨ、１〜２０、好ましくは２〜１５、より好ましくは２〜１０の炭素原子の線状、飽和又は不飽和のアルキル基であり、Ｒ1はＨ又は１〜２０、好ましくは２〜１５、さらに好ましくは２〜１０の炭素原子の線状飽和又は不飽和のアルキル基であり、Ａはアルコキシ基、好ましくはエトキシ、メトキシ、及び／又はプロポキシ基であり、ｎは１〜５、好ましくは１〜２である。本明細書で用いるのに特に好適なアルコキシル化グリコールは、エトキシエトキシエタノール（ＨＩ＝３７）である。
【０１６８】
典型的には、本発明に基づく漂白組成物は、組成物全体の３０重量％まで、好ましくは０．０１重量％〜１重量％、より好ましくは０．１重量％〜１０重量％、最も好ましくは０．５重量％〜５重量％の溶媒を含んでもよい。
【０１６９】
本明細書の組成物が疎水性溶媒及び親水性溶媒の混合物を含むような好ましい実施形態において、前記疎水性溶媒と前記親水性溶媒との重量比は、１：２０〜１：１、より好ましくは１：１４〜１：２である。
溶媒は、存在する場合、本明細書に記載される漂白組成物の優れた染み除去性能に寄与する。
【０１７０】
（泡抑制剤又は泡抑制系）
本発明による漂白組成物はさらに、泡抑制剤又は泡抑制系を含んでいてもよい。当業者に既知のいずれの泡抑制剤も本明細書における使用に適している。好ましい実施形態において、脂肪酸と共に本明細書で定義されるような末端処理アルコキシル化非イオン性界面活性剤、及び／又はシリコーンを含む泡抑制系を使用する。
【０１７１】
典型的には、本明細書の漂白組成物は全組成物の１×１０-4重量％〜１０重量％、好ましくは１×１０-3重量％〜５重量％、より好ましくは１×１０-2重量％〜５重量％の脂肪酸を含んでもよい。
典型的には、本明細書の漂白組成物は、組成物全体の１×１０-3重量％〜２０重量％、好ましくは１×１０-2重量％〜１０重量％、より好ましくは５×１０-2重量％〜５重量％の本明細書で定義される末端処理アルコキシル化非イオン性界面活性剤を含んでもよい。
典型的には、本明細書の漂白組成物は全組成物の１×１０-5重量％〜５重量％、好ましくは１×１０-5重量％〜１重量％、より好ましくは１×１０-4重量％〜０．５重量％のシリコーンを含んでもよい。
【０１７２】
本明細書で用いるのに好適な脂肪酸は、Ｃ8〜Ｃ24脂肪酸のアルカリ塩である。このようなアルカリ塩としては、脂肪酸類の、ナトリウム塩、カリウム塩及び／又はリチウム塩のような完全飽和金属塩、並びにアンモニウム塩及び／又はアルキルアンモニウム塩、好ましくはナトリウム塩が挙げられる。本明細書で用いるのに好ましい脂肪酸類は、８〜２２、好ましくは８〜２０、より好ましくは８〜１８の炭素原子を含む。
【０１７３】
好適な脂肪酸類は、カプリル酸、カプリン酸、ラウリン酸、ミリスチン酸、パルミチン酸、ステアリン酸、及び植物又は動物エステルのような天然原料から得られる、適切に硬化した脂肪酸（例えばパーム油、ココナッツ油、大豆油、ヒマシ油、獣脂、グラウンドオイル、鯨油及び魚油及び／又はババスオイル）の混合物から選択してもよい。
例えばココナッツ脂肪酸は、ユニケマ（UNICHEMA）からプリファック（PRIFAC）５９００（登録商標）の商品名で市販されている。
【０１７４】
本明細書で用いるのに好適な末端処理アルコキシル化非イオン性界面活性剤は次の式による：
Ｒ1（Ｏ−ＣＨ2−ＣＨ2）n−（ＯＲ2）m−Ｏ−Ｒ3
式中、Ｒ1はＣ8〜Ｃ24線状又は分枝アルキル又はアルケニル基、アリール基、アルカリール基、好ましくはＲ1はＣ8〜Ｃ18アルキル又はアルケニル基、より好ましくはＣ10〜Ｃ15アルキル又はアルケニル基、さらにより好ましくはＣ10〜Ｃ15アルキル基である；
式中、Ｒ2はＣ1〜Ｃ10線状又は分枝のアルキル基、好ましくはＣ2〜Ｃ10線状又は分枝のアルキル基、好ましくはＣ3基である；
式中、Ｒ3はＣ1〜Ｃ10アルキル又はアルケニル基、好ましくはＣ1〜Ｃ5アルキル基、より好ましくはメチルである；
及び式中、ｎ及びｍは独立して、１〜２０、好ましくは１〜１０、より好ましくは１〜５の範囲の整数、又はこれらの組み合わせである。
【０１７５】
これらの界面活性剤はＢＡＳＦからプルラファック（Plurafac）（登録商標）の商品名で、ヘキスト（Hoechst）からゲナポール（Genapol）の商品名で又はＩＣＩからシンパロニック（Symperonic）の商品名で市販されている。上記の式の好ましい末端処理非イオンアルコキシル化界面活性剤はヘキスト（Hoechst）からゲナポール（Genapol）（登録商標）Ｌ２．５ＮＲの商品名で、及びＢＡＳＦからプルラファック（Plurafac）（登録商標）の商品名で市販されている。
【０１７６】
本明細書で用いるのに好適なシリコーン類は、いかなるシリコーン及びシリカ−シリコーン混合物も含む。シリコーン類は、一般にアルキル化ポリシロキサン物質によって表すことができるが、シリカは、通常はシリカエーロゲル及びキセロゲル及び様々な種類の疎水性シリカ類によって例示される細かく分割された形態で使用される。これらの物質は、粒子として組み入れることができ、その際シリコーンは有利に放出できるように、水溶性又は水分散性の実質的に非界面活性の不浸透性キャリアに組み入れられる。あるいは、シリコーンは、液体キャリアに溶解又は分散することができ、１つ又はそれより多くのその他の成分にスプレーすることによって適用できる。
【０１７７】
実際に工業的慣習では、用語「シリコーン」とは、シロキサン単位及び種々のヒドロカルビル基を含有する、種々の相対的に高分子量のポリマーを包含する総称となっている。さらに言えば、シリコーン化合物は当該技術分野において広く記載されており、例えば米国特許第４，０７６，６４８号、米国特許第４，０２１，３６５号、米国特許第４，７４９，７４０号、米国特許第４，９８３，３１６号、ＥＰ１５０，８７２、ＥＰ２１７，５０１及びＥＰ４９９，３６４を参照のこと。本明細書に開示されるシリコーン化合物は、本発明の内容に適している。一般に、シリコーン化合物は、次の一般構造を有するシロキサン類として記載することができる：
【０１７８】
【化２５】
2005502767.tif 000027
式中、ｎは２０〜２０００であり、各Ｒは独立してアルキル又はアリールラジカルであってよい。このような置換基の例は、メチル、エチル、プロピル、イソブチル、及びフェニルである。好ましいポリジオルガノシロキサン類は、トリメチルシリル末端ブロック単位を有し、２５℃における粘度が５×１０-5ｍ2／ｓ〜０．１ｍ2／ｓ、つまりｎの値が４０〜１５００の範囲であるポリジメチルシロキサン類である。これらは容易に入手可能であり比較的低価格のため好ましい。
【０１７９】
本明細書の組成物において有用なシリコーン化合物の好ましい種類は、本明細書において上記で開示された種類のアルキル化シロキサン及び固形状シリカの混合物を含む。
固形状シリカは、ヒュームド・シリカ、沈殿シリカ又はゲル形成技法により生成されたシリカであってもよい。シリカ上に直接結合するか又はシリコーン樹脂によってジアルキルシリル基及び／又はトリアルキルシラン基でシリカ粒子を処理することにより、シリカ粒子を疎水性にすることができる。好ましいシリコーン化合物は、１０ｍｍ〜２０ｍｍの範囲の粒子サイズ及び５０ｍ2／ｇを超える比表面積を有する疎水性のシラン化された、最も好ましくはトリメチルシラン化されたシリカを含む。本発明による組成物に好適に用いられるシリコーン化合物は、シリコーン化合物の総重量の１〜３０重量％（さらに好ましくは２．０〜１５重量％）の範囲のシリカ量を有し、結果として平均粘度２ｘ１０-4ｍ2／ｓ〜１ｍ2／ｓを有するシリコーン化合物となる。好ましいシリコーン化合物は、５ｘ１０-3ｍ2／ｓ〜０．１ｍ2／ｓの範囲の粘度を有することができる。特に好適なのは、２ｘ１０-2ｍ2／ｓ〜４．５ｘ１０-2ｍ2／ｓの粘度を持つシリコーン化合物である。
【０１８０】
本明細書で用いるのに好適なシリコーン化合物は、ローヌ・プーラン（Rhone Poulenc）、フエラー（Fueller）及びダウ・コーニング（Dow Corning）を含む種々の会社から市販されている。本明細書で用いるためのシリコーン化合物の例は、双方ともダウ・コーニング（Dow Corning）から市販されているシリコーンＤＢ（登録商標）１００及びシリコーンエマルション２−３５９７（登録商標）である。
【０１８１】
別のシリコーン化合物は、バルトロタ（Bartollota）らの米国特許第３，９３３，６７２号に開示されている。その他の特に有用なシリコーン化合物は、自己乳化シリコーン化合物であり、１９７７年４月２８日に発行されたドイツ特許出願ＤＴＯＳ２，６４６，１２６に記載されている。このような化合物の例は、シロキサン−グリコールコポリマーであるダウ・コーニング（Dow Corning）から市販されているＤＣ−５４４（登録商標）である。
【０１８２】
典型的に好ましいシリコーン化合物は、ＥＰ−Ａ−５７３，６９９に記載されている。組成物は、シリコーン／シリカ混合物をアエロシル（Aerosil）（登録商標）のようなヒュームド無孔シリカと組み合わせて含むことができる。
【０１８３】
（酸化防止剤）
本発明の漂白組成物はさらに酸化防止剤を含んでいてもよい。
典型的には、本明細書の漂白組成物は、組成物全体の１０重量％まで、好ましくは０．００２重量％〜５重量％、より好ましくは０．００５重量％〜２重量％、最も好ましくは０．０１重量％〜１重量％の酸化防止剤を含んでいてもよい。
【０１８４】
本明細書で用いるのに好適な酸化防止剤としては、クエン酸、アスコルビン酸、酒石酸、アジピン酸及びソルビン酸のような有機酸類、又はレシチンのようなアミン類、又はグルタミン、メチオニン及びシステインのようなアミノ酸類、又はアスコルビルパルミテート、アスコルビルステアレート及びトリエチルシトレートのようなエステル類、又はこれらの混合物が挙げられる。本明細書で用いるのに好ましい酸化防止剤は、クエン酸、アスコルビン酸、アスコルビルパルミテート、レシチン、又はこれらの混合物である。
【０１８５】
（漂白剤活性化剤）
本発明の組成物は任意の成分として漂白剤活性化剤を含んでよい。「漂白剤活性化剤」とは、本明細書では過酸を形成する過酸化水素と反応する化合物を意味する。従って、形成された過酸は活性化された漂白剤を構成する。本明細書で用いるのに好適な漂白剤活性化剤には、エステル類、アミド類、イミド類、又は無水物の部類に属するものが挙げられる。この種の好適な化合物の例は、英国特許ＧＢ１，５８６，７６９及びＧＢ２，１４３，２３１に開示されており、小球形態に成形する方法は、ＥＰ−Ａ−６２，５２３に記載されている。本明細書で用いるのに好適なこのような化合物の例としては、例えば、米国特許第４，８１８，４２５号に記載されるようなテトラアセチルエチレンジアミン（ＴＡＥＤ）、ナトリウム３，５，５トリメチルヘキサノイルオキシベンゼンスルホネート、ジペルオキシドデカン酸、及び米国特許第４，２５９，２０１号に記載されるペルオキシアジピン酸のノニルアミド、及びｎ−ノナノイルオキシベンゼンスルホネート（ＮＯＢＳ）が挙げられる。置換又は非置換ベンゾイルカプロラクタム、オクタノイルカプロラクタム、ノナノイルカプロラクタム、ヘキサノイルカプロラクタム、デカノイルカプロラクタム、ウンデセノイルカプロラクタム、ホルミルカプロラクタム、アセチルカプロラクタム、プロパノイルカプロラクタム、ブタノイルカプロラクタム、ペンタノイルカプロラクタム又はこれらの混合物から成る群から選択されるＮ−アシルカプロラクタム類も適している。関心のある漂白剤活性化剤の特別の系統群が、ＥＰ６２４，１５４で開示されたが、その系統群において特に好ましいのは、アセチルトリエチルシトレート（ＡＴＣ）である。アセチルトリエチルシトレートは、最終的にクエン酸及びアルコールに分解するので、環境に優しいという利点を有する。さらに、アセチルトリエチルシトレートは保存の際、製品において良好な加水分解安定性を有し、それは効果的な漂白剤活性化剤である。そのことが最終的に組成物に良好なビルディング力を与える。
本発明の漂白組成物は、組成物全体の０．０１重量％〜２０重量％、好ましくは１重量％〜１０重量％、より好ましくは３重量％〜７重量％の漂白剤活性化剤を含んでもよい。
【０１８６】
（スルホン化ヒドロトロープ）
本発明の漂白組成物はさらにスルホン化ヒドロトロープを含んでもよい。
【０１８７】
当業者に既知のいずれのスルホン化ハイドロトロープも本明細書における使用に適している。好ましい実施様態において、アルキルアリールスルホネート類又はアルキルアリールスルホン酸類を使用する。好ましいアルキルアリールスルホネート類としては、ナトリウム、カリウム、カルシウム及びアンモニウムキシレンスルホネート類、ナトリウム、カリウム、カルシウム及びアンモニウムトルエンスルホネート類、ナトリウム、カリウム、カルシウム及びアンモニウムクメンスルホネート類、ナトリウム、カリウム、カルシウム及びアンモニウム置換型又は非置換型ナフタレンスルホネート類及びこれらの混合物が挙げられる。好ましいアルキルアリールスルホン酸類としては、キシレンスルホン酸、トルエンスルホン酸、クメンスルホン酸、置換型又は非置換型ナフタレンスルホン酸並びにこれらの混合物が挙げられる。より好ましくは、キシレンスルホン酸又はｐ−トルエンスルホン酸又はこれらの混合物を使用する。
【０１８８】
典型的には、本明細書の漂白組成物は、全組成物の０．０１重量％〜２０重量％、好ましくは０．０５重量％〜１０重量％及びより好ましくは０．１重量％〜５重量％のスルホン化ヒドロトロープを含む。
【実施例】
【０１８９】
以下の実施例でさらに本発明を説明する。列記した成分を列記した比率（特に指示がない限り重量％）で配合することにより組成物を製造する。以下の実施例は本発明による方法で使用される組成物を例示することを意味するが、必ずしも、本発明の範囲を限定又はさもなければ制限するのに用いられるものではない。
【０１９０】
【表１】
2005502767.tif 000028
全ての実施例は９未満のｐＨを有する。
【０１９１】
【表２】
2005502767.tif 000029
全ての実施例は９未満のｐＨを有する。
【０１９２】
ドバノール（Dobanol）（登録商標）２３−３は、シェルから市販されているＣ12〜Ｃ13ＥＯ３非イオン性界面活性剤である。
ドバノール（Dobanol）（登録商標）４５−７は、シェルから市販されているＣ14〜Ｃ15ＥＯ７非イオン性界面活性剤である。
ドバノール（Dobanol）（登録商標）９１−８は、シェルから市販されているＣ9〜Ｃ11ＥＯ８非イオン性界面活性剤である。
ドバノール（Dobanol）（登録商標）９１−１０は、シェルから市販されているＣ9〜Ｃ11ＥＯ１０非イオン性界面活性剤である。
マーリパル（Marlipal）（登録商標）２４−４は、コンディア（Condea）から市販されている線状Ｃ12〜Ｃ14ＥＯ４非イオン性界面活性剤である。
マーリパル（Marlipal）（登録商標）２４−７は、コンディア（Condea）から市販されている線状Ｃ12〜Ｃ14ＥＯ７非イオン性界面活性剤である。
過酸化水素はオウジモント（Ausimont）から市販されている。
染料維持剤は、ＢＡＳＦからソカラン（Sokalan）ＰＧ−ＩＭＥ（登録商標）の商品名で市販されているイミダゾール：エピクロロヒドリンコポリマーである。
【国際公開パンフレット】
2005502767.tif 000044
2005502767.tif 000045
2005502767.tif 000046
2005502767.tif 000047
2005502767.tif 000048
2005502767.tif 000049
2005502767.tif 000050
2005502767.tif 000051
2005502767.tif 000052
2005502767.tif 000053
2005502767.tif 000054
2005502767.tif 000055
2005502767.tif 000056
2005502767.tif 000057
2005502767.tif 000058
2005502767.tif 000059
2005502767.tif 000060
2005502767.tif 000061
2005502767.tif 000062
2005502767.tif 000063
2005502767.tif 000064
2005502767.tif 000065
2005502767.tif 000066
2005502767.tif 000067
2005502767.tif 000068
2005502767.tif 000069
2005502767.tif 000070
2005502767.tif 000071
2005502767.tif 000072
2005502767.tif 000073
2005502767.tif 000074
2005502767.tif 000075
2005502767.tif 000076
2005502767.tif 000077
2005502767.tif 000078
2005502767.tif 000079
2005502767.tif 000080
2005502767.tif 000081
2005502767.tif 000082
2005502767.tif 000083
2005502767.tif 000084
2005502767.tif 000085
2005502767.tif 000086
2005502767.tif 000087
2005502767.tif 000088
2005502767.tif 000089
2005502767.tif 000090
2005502767.tif 000091
2005502767.tif 000092
2005502767.tif 000093
2005502767.tif 000094
2005502767.tif 000095
2005502767.tif 000096
【国際公開パンフレット（コレクトバージョン）】
2005502767.tif 000097
【国際調査報告】
2005502767.tif 000098
2005502767.tif 000099
2005502767.tif 000100